(57)【特許請求の範囲】
【請求項１】
現金を入金および出金することにより顧客との精算処理を行う現金精算装置と、
前記現金精算装置へ装填する現金を出金し、前記現金精算装置から回収した現金を入金する現金出納装置と、
前記現金精算装置および前記現金出納装置に着脱可能であり、前記現金精算装置内の現金を受け、当該現金を前記現金出納装置に渡す現金搬送カセットと、を備え、
前記現金搬送カセットは、前記現金出納装置内の現金を受け、当該現金を前記現金精算装置に渡すこともできるよう構成されており、
前記現金搬送カセットは、当該現金搬送カセットを特定するためのカセットＩＤ情報を少なくとも記憶する記憶部を有し、
前記現金精算装置および前記現金出納装置は各々、前記現金搬送カセットの前記記憶部から前記カセットＩＤ情報を読み出すリード部を有し、
管理部および照合部がさらに設けられており、
前記管理部は、前記現金精算装置および前記現金出納装置に通信可能に接続されており、また前記管理部は、前記現金搬送カセットが前記現金精算装置に装着されている時、当該現金搬送カセットが受ける前記現金精算装置内の現金が前記現金出納装置に入金され得るかどうかを判定する入金判定手段を有するとともに、前記入金判定手段により前記現金出納装置に入金され得ると判定された現金を搬送する現金搬送カセットのカセットＩＤ情報を前記照合部へ送信するよう構成されており、
前記照合部は、現金搬送カセットが前記現金出納装置に装着されている時、当該現金出納装置のリード部により読み出されたカセットＩＤ情報と前記管理部から送信されるカセットＩＤ情報とを照合するよう構成されており、
前記現金精算装置において、当該現金精算装置内に装填されるべき現金の量である所定装填量が定められており、
前記管理部は、前記現金搬送カセットが前記現金精算装置に装着されている時、当該現金精算装置の前記所定装填量を満たす量の現金が前記現金出納装置から出金され得るかどうかを判定する出金判定手段をさらに有することを特徴とする現金処理システム。
【請求項２】
前記現金出納装置は複数設けられており、
前記管理部の入金判定手段は、前記現金搬送カセットが前記現金精算装置に装着されている時、当該現金搬送カセットが受ける前記現金精算装置内の現金が各現金出納装置に入金され得るかどうかをそれぞれ判定し、
前記管理部の出金判定手段は、前記現金搬送カセットが前記現金精算装置に装着されている時、当該現金精算装置の前記所定装填量を満たす量の現金が各現金出納装置から出金され得るかどうかをそれぞれ判定し、
前記管理部は、前記現金搬送カセットが前記現金精算装置に装着されている時、前記入金判定手段および前記出金判定手段からの情報に基づいて、前記現金搬送カセットが受ける前記現金精算装置内の現金が入金されるべき一の現金出納装置を選択する選択手段をさらに有し、
前記照合部は、前記現金搬送カセットが複数の現金出納装置のいずれか１つに装着されている時、当該現金出納装置のリード部により読み出されたカセットＩＤ情報と前記管理部の前記選択手段からの情報とを照合することを特徴とする請求項１に記載の現金処理システム。
【請求項３】
現金搬送カセットを現金精算装置に装着する工程と、
現金精算装置が、当該現金精算装置に装着されている現金搬送カセットのカセットＩＤ情報を読み取るとともに、当該カセットＩＤ情報および現金搬送カセットが受ける現金精算装置内の現金に関する情報を管理部に送信する工程と、
現金搬送カセットが現金精算装置に装着されている時、管理部が、現金搬送カセットが受ける現金精算装置内の現金が現金出納装置に入金され得るかどうかを判定する判定工程と、
管理部が、前記現金出納装置に入金され得ると判定された現金を搬送する現金搬送カセットのカセットＩＤ情報を照合部に送信する工程と、
現金精算装置内の現金を受けた現金搬送カセットを現金精算装置から離脱させ、その後、当該現金搬送カセットを現金出納装置に装着する工程と、
現金出納装置が、当該現金出納装置に装着されている現金搬送カセットのカセットＩＤ情報を読み取るとともに、当該カセットＩＤ情報を照合部に送信する工程と、
現金搬送カセットが現金出納装置に装着されている時、照合部が、当該現金出納装置により読み出されたカセットＩＤ情報と管理部から送信されるカセットＩＤ情報とを照合する照合工程と、を備え、
前記現金精算装置において、当該現金精算装置内に装填されるべき現金の量である所定装填量が定められており、
前記現金搬送カセットが前記現金精算装置に装着されている時、当該現金精算装置の前記所定装填量を満たす量の現金が前記現金出納装置から出金され得るかどうかを判定する工程がさらに実施されることを特徴とする現金処理方法。
【請求項４】
現金を入金および出金することにより顧客との精算処理を行う現金精算装置と、前記現金精算装置へ装填する現金を出金し、前記現金精算装置から回収した現金を入金する現金出納装置と、前記現金精算装置および前記現金出納装置に着脱可能であり、前記現金精算装置内の現金を受け、当該現金を前記現金出納装置に渡す現金搬送カセットと、照合部と、を備えた現金処理システムにおいて用いられる管理部であって、
前記現金精算装置において、当該現金精算装置内に装填されるべき現金の量である所定装填量が定められており、
前記管理部は、前記現金精算装置および前記現金出納装置に通信可能に接続され、また前記管理部は、前記現金搬送カセットが前記現金精算装置に装着されている時、当該現金搬送カセットが受ける前記現金精算装置内の現金が前記現金出納装置に入金され得るかどうかを判定する入金判定手段を有するとともに、前記入金判定手段により前記現金出納装置に入金され得ると判定された現金を搬送する現金搬送カセットに設定されているカセットＩＤ情報を前記照合部へ送信するよう構成されており、
前記管理部は、前記現金搬送カセットが前記現金精算装置に装着されている時、当該現金精算装置の前記所定装填量を満たす量の現金が前記現金出納装置から出金され得るかどうかを判定する出金判定手段をさらに有することを特徴とする管理部。
【請求項５】
現金を収納する現金搬送カセットを装着可能な現金出納装置であって、
前記現金搬送カセットは、当該現金搬送カセットを特定するためのカセットＩＤ情報を少なくとも記憶する記憶部を有し、
前記現金搬送カセットに収納された現金が前記現金出納装置に入金され得るかどうかに関する情報、または、前記現金搬送カセットに収納された現金が前記現金出納装置に入金されるべきかどうかに関する情報が、前記カセットＩＤ情報に対応付けられて、前記現金搬送カセットへ現金を出金した現金精算装置および前記現金出納装置に通信可能に接続された管理部によって予め生成されており、
前記現金精算装置において、前記現金精算装置内に装填されるべき現金の量である所定装填量が定められており、
前記現金精算装置の前記所定装填量を満たす量の現金が前記現金出納装置から出金され得るかどうかに関する情報が、前記カセットＩＤ情報に対応付けられて、前記管理部によって予めさらに生成されており、
前記現金出納装置は、前記現金搬送カセットの前記記憶部から前記カセットＩＤ情報を読み出すリード部と、前記現金搬送カセットが前記現金出納装置に装着されている時に前記リード部により読み出されたカセットＩＤ情報と、予め生成されている前記情報に対応付けられた前記カセットＩＤ情報とを照合する照合部と、を有することを特徴とする現金出納装置。
【発明の詳細な説明】
【技術分野】
【０００１】
本発明は、現金処理システムおよび現金処理方法に係わり、例えば、店舗内での精算において現金の受け渡しを行い、その現金を収納する現金処理システムおよび現金処理方法に関する。また本発明は、管理部および現金出納装置に関する。
【背景技術】
【０００２】
従来から店舗のチェックアウトカウンターにおいて店員が客との現金の受け渡し業務を行うために現金精算装置およびＰＯＳ（Point Of Sale）レジスタが使用されている。現金精算装置は、投入された現金を識別・計数して金額を算出した上で、収納すると共に、収納されている現金を釣銭として払い出す機能を有している。
【０００３】
一方、店舗のバックオフィスにおいては、その店舗内に設置された現金精算装置に釣銭準備金等の現金を装填し、あるいは、現金精算装置の売上金等を回収するために現金出納装置が使用されている。現金出納装置は、現金精算装置から回収された現金を収納し、現金精算装置へ装填する現金を投出する機能を有している。
【０００４】
通常、営業終了後に店員は、チェックアウトカウンターの現金精算装置に収納されている売上金等をバックオフィスの現金出納装置に収納する必要がある。しかしながら、現金出納装置における現金の収納量には上限があり、このため、現金精算装置からの売上金を現金出納装置へ搬送したとしても、当該現金を現金出納装置に入金できない場合がある。
【０００５】
このような課題を解決するため、特許文献１および２は、現金出納装置における入金可否状況を照会するとともに照会結果を表示可能な照会手段を備えた入金システムを提案している。これによって、搬送されてきた現金を現金出納装置に入金することができない、という状況が生じることを回避することができる。
【先行技術文献】
【特許文献】
【０００６】
【特許文献１】特許第４４８５８８４号公報
【特許文献２】特開２００６−５９２６９号公報
【発明の概要】
【発明が解決しようとする課題】
【０００７】
現金精算装置から現金出納装置への現金の搬送は、通常、現金を収納する現金搬送カセットを店員が搬送することにより実施される。この場合、店員が現金精算装置から現金出納装置へ搬送する間に不測の事態が発生する可能性がある。例えば、搬送中に何らかの事象が生じて、店員が、照会手段による照会において入金可とされた数量の現金を収納する一の現金搬送カセットを、その他の現金搬送カセットと取り違えてしまうことが考えられる。この場合、現金出納装置には、一の現金搬送カセットとは異なるその他の現金搬送カセットからの現金が入金されることになり、この結果、搬送されてきた現金を現金出納装置に入金することができない、という事態が生じ得る。
【０００８】
本発明は、このような課題を効果的に解決し得る現金処理システム、現金処理方法、管理部および現金出納装置を提供することを目的とする。
【課題を解決するための手段】
【０００９】
本発明による現金処理システムは、現金を入金および出金することにより顧客との精算処理を行う現金精算装置と、前記現金精算装置へ装填する現金を出金し、前記現金精算装置から回収した現金を入金する現金出納装置と、前記現金精算装置および前記現金出納装置に着脱可能であり、前記現金精算装置内の現金を受け、当該現金を前記現金出納装置に渡す現金搬送カセットと、を備え、前記現金搬送カセットは、当該現金搬送カセットを特定するためのカセットＩＤ情報を少なくとも記憶する記憶部を有し、前記現金精算装置および前記現金出納装置は各々、前記現金搬送カセットの前記記憶部から前記カセットＩＤ情報を読み出すリード部を有し、管理部および照合部がさらに設けられており、前記管理部は、前記現金精算装置および前記現金出納装置に通信可能に接続されており、また前記管理部は、前記現金搬送カセットが前記現金精算装置に装着されている時、当該現金搬送カセットが受ける前記現金精算装置内の現金が前記現金出納装置に入金され得るかどうかを判定する入金判定手段を有するとともに、前記入金判定手段により前記現金出納装置に入金され得ると判定された現金を前記現金精算装置から受ける現金搬送カセットのカセットＩＤ情報を前記照合部へ送信するよう構成されており、前記照合部は、前記現金搬送カセットが前記現金出納装置に装着されている時、当該現金出納装置のリード部により読み出されたカセットＩＤ情報と前記管理部から送信されるカセットＩＤ情報とを照合するよう構成されていることを特徴とする現金処理システムである。
【００１０】
本発明による現金処理システムにおいて、前記現金出納装置は複数設けられていてもよい。この場合、前記管理部の前記入金判定手段は、前記現金搬送カセットが前記現金精算装置に装着されている時、当該現金搬送カセットが受ける前記現金精算装置内の現金が各現金出納装置に入金され得るかどうかをそれぞれ判定し、前記管理部は、前記現金搬送カセットが前記現金精算装置に装着されている時、前記入金判定手段からの情報に基づいて、前記現金搬送カセットが受ける前記現金精算装置内の現金が入金されるべき一の現金出納装置を選択する選択手段をさらに有し、前記照合部は、前記現金搬送カセットが複数の現金出納装置のいずれか１つに装着されている時、当該現金出納装置のリード部により読み出されたカセットＩＤ情報と前記管理部の前記選択手段からの情報とを照合してもよい。
【００１１】
本発明による現金処理システムの前記現金精算装置において、当該現金精算装置内に装填されるべき現金の量である所定装填量が定められていてもよい。この場合、前記現金搬送カセットは、前記所定装填量の現金が前記現金精算装置内に残されるよう当該現金精算装置内の現金を受け、当該現金を前記現金出納装置に渡してもよい。
【００１２】
本発明による現金処理システムにおいて、前記現金搬送カセットは、前記現金出納装置内の現金を受け、当該現金を前記現金精算装置に渡すこともできるよう構成されていてもよい。この場合、前記現金精算装置において、当該現金精算装置内に装填されるべき現金の量である所定装填量が定められており、前記管理部は、前記現金搬送カセットが前記現金精算装置に装着されている時、当該現金精算装置の前記所定装填量を満たす量の現金が前記現金出納装置から出金され得るかどうかを判定する出金判定手段をさらに有していてもよい。
【００１３】
本発明による現金処理システムにおいて、前記現金出納装置は複数設けられていてもよい。この場合、前記管理部の入金判定手段は、前記現金搬送カセットが前記現金精算装置に装着されている時、当該現金搬送カセットが受ける前記現金精算装置内の現金が各現金出納装置に入金され得るかどうかをそれぞれ判定し、前記管理部の出金判定手段は、前記現金搬送カセットが前記現金精算装置に装着されている時、当該現金精算装置の前記所定装填量を満たす量の現金が各現金出納装置から出金され得るかどうかをそれぞれ判定し、前記管理部は、前記現金搬送カセットが前記現金精算装置に装着されている時、前記入金判定手段および前記出金判定手段からの情報に基づいて、前記現金搬送カセットが受ける前記現金精算装置内の現金が入金されるべき一の現金出納装置を選択する選択手段をさらに有し、前記照合部は、前記現金搬送カセットが複数の現金出納装置のいずれか１つに装着されている時、当該現金出納装置のリード部により読み出されたカセットＩＤ情報と前記管理部の前記選択手段からの情報とを照合してもよい。
【００１４】
本発明による現金処理方法は、現金搬送カセットを現金精算装置に装着する工程と、現金精算装置が、当該現金精算装置に装着されている現金搬送カセットのカセットＩＤ情報を読み取るとともに、当該カセットＩＤ情報および現金搬送カセットが受ける現金精算装置内の現金に関する情報を管理部に送信する工程と、現金搬送カセットが現金精算装置に装着されている時、管理部が、現金搬送カセットが受ける現金精算装置内の現金が現金出納装置に入金され得るかどうかを判定する判定工程と、管理部が、前記現金出納装置に入金され得ると判定された現金を前記現金精算装置から受ける現金搬送カセットのカセットＩＤ情報を照合部に送信する工程と、現金搬送カセットが現金精算装置内の現金を受ける工程と、現金搬送カセットを現金精算装置から離脱させ、その後、当該現金搬送カセットを現金出納装置に装着する工程と、現金出納装置が、当該現金出納装置に装着されている現金搬送カセットのカセットＩＤ情報を読み取るとともに、当該カセットＩＤ情報を照合部に送信する工程と、現金搬送カセットが現金出納装置に装着されている時、照合部が、当該現金出納装置により読み出されたカセットＩＤ情報と管理部から送信されるカセットＩＤ情報とを照合する照合工程と、を備えたことを特徴とする現金処理方法。
【００１５】
本発明による管理部は、現金を入金および出金することにより顧客との精算処理を行う現金精算装置と、前記現金精算装置へ装填する現金を出金し、前記現金精算装置から回収した現金を入金する現金出納装置と、前記現金精算装置および前記現金出納装置に着脱可能であり、前記現金精算装置内の現金を受け、当該現金を前記現金出納装置に渡す現金搬送カセットと、照合部と、を備えた現金処理システムにおいて用いられる管理部であって、前記管理部は、前記現金精算装置および前記現金出納装置に通信可能に接続され、また前記管理部は、前記現金搬送カセットが前記現金精算装置に装着されている時、当該現金搬送カセットが受ける前記現金精算装置内の現金が前記現金出納装置に入金され得るかどうかを判定する入金判定手段を有するとともに、前記入金判定手段により前記現金出納装置に入金され得ると判定された現金を前記現金精算装置から受ける現金搬送カセットのカセットＩＤ情報を前記照合部へ送信するよう構成されており、前記現金精算装置および前記現金出納装置は各々、前記現金搬送カセットの前記記憶部から前記カセットＩＤ情報を読み出すリード部を有し、前記現金処理システムの前記照合部は、前記現金搬送カセットが前記現金出納装置に装着されている時、当該現金出納装置のリード部により読み出されたカセットＩＤ情報と前記管理部から送信されるカセットＩＤ情報とを照合するよう構成されていることを特徴とする管理部である。
【００１６】
本発明による現金出納装置は、現金を収納する現金搬送カセットを装着可能な現金出納装置であって、前記現金搬送カセットは、当該現金搬送カセットを特定するためのカセットＩＤ情報を少なくとも記憶する記憶部を有し、前記現金搬送カセットに収納された現金が前記現金出納装置に入金され得るかどうかに関する情報、または、前記現金搬送カセットに収納された現金が前記現金出納装置に入金されるべきかどうかに関する情報が、前記カセットＩＤ情報に対応付けられて予め生成されており、前記現金出納装置は、前記現金搬送カセットの前記記憶部から前記カセットＩＤ情報を読み出すリード部と、前記現金搬送カセットが前記現金出納装置に装着されている時に前記リード部により読み出されたカセットＩＤ情報と、予め生成されている前記情報に対応付けられた前記カセットＩＤ情報とを照合する照合部と、を有することを特徴とする現金出納装置である。
【発明の効果】
【００１７】
本発明によれば、現金搬送カセットに収納されている売上金等を現金出納装置に確実に収納することができる。
【図面の簡単な説明】
【００１８】
【図１】本発明に係る実施形態に従った現金管理システム１の構成例を示すブロック図。
【図２】各現金精算装置１１の一例を示す外観図。
【図３】現金精算装置１１の構成例を示すブロック図。
【図４】現金精算装置１１のうち紙幣精算装置１２の内部構成の一例を示す断面図。
【図５】現金精算装置１１のうち硬貨精算装置１３の内部構成の一例を示す断面図。
【図６】現金出納装置２１の一例を示す外観図。
【図７】現金出納装置２１の構成例を示すブロック図。
【図８】現金出納装置２１のうち紙幣出納装置２２の内部構成の一例を示す断面図。
【図９】現金出納装置２１のうち硬貨出納装置２３の内部構成の一例を示す断面図。
【図１０】第１の動作の形態における回収処理を示すフロー図。
【図１１】第１の動作の形態において、管理部による判定結果を示す図。
【図１２】第２の動作の形態における回収処理を示すフロー図。
【図１３】第２の動作の形態において、管理部による判定および選択結果を示す図。
【図１４】第３の動作の形態において、管理部による判定および選択結果を示す図。
【図１５】第４の動作の形態における回収処理を示すフロー図。
【図１６】第４の動作の形態において、管理部による判定結果を示す図。
【図１７】第５の動作の形態における回収処理を示すフロー図。
【図１８】第５の動作の形態において、管理部による判定および選択結果を示す図。
【図１９】第６の動作の形態において、管理部による判定および選択結果を示す図。
【発明を実施するための形態】
【００１９】
以下、図面を参照して、本発明に係る第１の実施形態を説明する。本実施形態は、本発明を限定するものではない。
【００２０】
図１は、本発明に係る第１の実施形態に従った現金管理システム１の構成例を示すブロック図である。現金管理システム１は、店員が顧客から受け取った現金、および、店員が顧客へ支払う現金を処理および管理するシステムである。
【００２１】
現金管理システム１は、店舗内のチェックアウトエリアに設けられており、店員が顧客との間でやりとりした現金を入出金するチェックアウトカウンター１０と、チェックアウトカウンター１０の現金および商品を管理するバックオフィス２０と、チェックアウトカウンター１０とバックオフィス２０との間において現金を搬送する現金搬送カセット３０とから構成されている。
【００２２】
チェックアウトカウンター１０には、現金を入金および出金することにより顧客との精算処理を行う単数または複数の現金精算装置１１が設けられている。例えば、合計で３０台の現金精算装置１１が設けられている。現金精算装置１１は、店員または顧客自らによって操作され、店員と顧客との間の精算処理に用いられる。例えば、現金精算装置１１は、顧客が支払った代金を入金し、あるいは、顧客へ支払う釣銭を出金する。
【００２３】
現金精算装置１１は、例えば、店員によって操作されるＰＯＳレジスタまたは顧客によって操作されるセルフチェックアウト用レジスタと通信可能に接続されている。現金精算装置１１は、ＰＯＳレジスタまたはセルフチェックアウト用レジスタと一体に構成されていてもよい。
【００２４】
バックオフィス２０には、単数または複数の現金出納装置２１と、現金管理装置２５と、ＰＯＳ管理装置２８が設けられている。例えば、合計で３台の現金出納装置２１が設けられている。現金出納装置２１は、現金精算装置１１と通信可能に接続されており、例えば、現金精算装置１１へ装填するための釣銭準備金を出金し、あるいは、現金精算装置１１から回収した売上金を入金する。現金管理装置２５は、ＬＡＮ（Local Area Network）等を介して現金精算装置１１および現金出納装置２１と通信可能に接続されている。現金管理装置２５は、現金精算装置１１および現金出納装置２１に収納されている現金を管理する。例えば、現金管理装置２５は、現金精算装置１１のそれぞれにおいて精算処理された現金、並びに、現金精算装置１１と現金出納装置２１との間で授受された現金を管理する。また、現金管理装置２５は、現金精算装置１１または現金出納装置２１に現金搬送カセット３０が装着されているか否かを監視してもよい。ＰＯＳ管理装置２８は商品の流れを管理する。尚、商品の流れについては本発明と直接関連しないので、ここではＰＯＳ管理装置２８に関する詳細な説明を省略する。
【００２５】
また現金管理装置２５は、図１に示すように、管理部２６と照合部２７とを有している。このうち管理部２６は、後述するように、現金精算装置１１の売上金を店員が現金出納装置２１に搬送する回収処理の際、現金搬送カセット３０が現金精算装置１１に装着されている時に、適切な搬送先に関する判定または選択を実施するよう構成されている。また照合部２７は、現金搬送カセット３０が現金出納装置２１に装着されている時、当該現金出納装置２１の後述するリード部２５７により読み出されたカセットＩＤ情報と管理部２６からの情報とを照合するよう構成されている。なお現金管理装置２５において、管理部２６および照合部２７は、管理部に記憶されている情報を照合部２７が読み出すことができる限りにおいて、物理的に一体のものとして構成されていてもよく、若しくは、物理的に別体のものとして構成されていてもよい。管理部２６および照合部２７が物理的に一体のものとして構成されている例としては、管理部２６および照合部２７の機能がいずれも、一個のＩＣ内においてソフトウェアにより実現される場合を挙げることができる。この場合、管理部２６および照合部２７は、ハードウェアとしては区別不可能であるが、ソフトウェアのモジュールとして区別可能となっている。
【００２６】
管理部２６は、図１に示すように、入金判定手段２６Ａ、選択手段２６Ｂおよび出金判定手段２６Ｃを含んでいる。これらの構成要素の作用については後述する。
【００２７】
現金搬送カセット３０は、現金精算装置１１および現金出納装置２１に着脱可能に構成されており、現金精算装置１１または現金出納装置２１に装着されているときには現金精算装置１１または現金出納装置２１との間で現金を授受することができる。一方、現金搬送カセット３０は、現金精算装置１１および現金出納装置２１から離脱しているときには内部の現金を取出せないように収納している。店員は、現金搬送カセット３０を用いて現金精算装置１１と現金出納装置２１との間における現金の搬送を行う。例えば、釣銭準備金の装填時あるいは売上金の回収時には、店員は、現金搬送カセット３０を用いて現金を現金精算装置１１と現金出納装置２１との間で搬送する。店員は、現金の搬送時に現金搬送カセット３０内の現金に触れることができないので、セキュリティ上安全な状態で現金を搬送することができる。
【００２８】
現金搬送カセット３０は、紙幣および硬貨のいずれか一方を搬送するように構成されていてもよく、両方を搬送できるように構成されていてもよい。紙幣用の現金搬送カセット３０は、紙幣を積み重ねて収納するスタック式カセットであってもよく、あるいは、紙幣を一枚ずつ複数のテープ間に挟み込んだ状態で該テープを紙幣とともに巻き取るテープリール式カセットであってもよい。硬貨用の現金搬送カセット３０は、金種混合の状態で硬貨を収納するカセットでよい。
【００２９】
［現金精算装置１１の構成］
各現金精算装置１１は、硬貨を入金および出金することにより精算処理を行う硬貨精算装置１３と、紙幣を入金および出金することにより精算処理を行う紙幣精算装置１２とを含む。
【００３０】
以下、紙幣精算装置１２の構成要素と硬貨精算装置１３の構成要素とを区別するために、紙幣精算装置１２の構成要素の参照番号に“ａ”を付し、硬貨精算装置１３の構成要素の参照番号に“ｂ”を付す。尚、硬貨精算装置１３および紙幣精算装置１２は、取り扱う対象が硬貨と紙幣とでそれぞれ異なるので具体的構成については相違するものの、図３に示す基本的なブロック構成については同様でよい。表示装置１９５は、ただし、紙幣精算装置１２または硬貨精算装置１３のいずれか一方に設けられ、共通に用いられる。
【００３１】
図２は、各現金精算装置１１の一例を示す外観を示す図である。現金精算装置１１は、紙幣精算装置１２および硬貨精算装置１３を備える。紙幣精算装置１２は、筐体１００ａと、入金部１１０ａと、出金部１２０ａとを備えている。また紙幣精算装置１２には、表示装置１９５が取り付けられている。入金部１１０ａは、顧客から受け取った紙幣を投入するために設けられている。出金部１２０ａは、釣銭紙幣を投出するために設けられている。筐体１００ａの前カバー１０１ａを開けると、現金搬送カセット３０を装着するためのカセット装着部（図４の１６０ａ参照）が設けられている。
【００３２】
硬貨精算装置１３は、筐体１００ｂと、入金部１１０ｂと、出金部１２０ｂとを備えている。入金部１１０ｂは、顧客から受け取った硬貨を投入するために設けられている。出金部１２０ｂは、釣銭硬貨を投出するために設けられている。筐体１００ｂの前カバー１０１ｂを開けると、現金搬送カセット３０を装着するためのカセット装着部（図５の１６０ｂ参照）が設けられている。
【００３３】
図３は、現金精算装置１１の構成例を示すブロック図である。現金精算装置１１は、入金部１１０および出金部１２０のほか、搬送部１３０と、識別部１４０と、収納部１５０と、リード部１５７と、ライト部１５８と、カセット装着部１６０と、メモリ１７０と、通信部１８０と、制御部１９０とをさらに備えている。
【００３４】
搬送部１３０は、入金部１１０に投入された現金を収納部１５０へ搬送し、あるいは、出金部１２０から投出される現金を収納部１５０から搬送する。また、搬送部１３０は、現金を収納部１５０へ装填するためにカセット装着部１６０に装着された現金搬送カセット３０内の現金を収納部１５０へ搬送し、あるいは、現金を収納部１５０から回収するために収納部１５０に収納された現金を現金搬送カセット３０へ搬送できるように構成されている。
【００３５】
識別部１４０は、搬送部１３０によって搬送されている現金の金種、真偽、正損、新旧、数量等を検知するように構成されている。例えば、識別部１４０は、イメージセンサまたは磁気センサ等のセンサを備えている。
【００３６】
収納部１５０は、識別部１４０において識別された現金を金種ごとに収納することができるように構成されている。収納部１５０は、紙幣を収納する場合、各紙幣を金種ごとに積み重ねて収納するスタック式収納部でもよく、あるいは、各紙幣を金種ごとに複数のテープ間に挟み込んだ状態で該テープを紙幣とともに巻き取る複数のテープリール式収納部であってもよい。
【００３７】
カセット装着部１６０は、現金搬送カセット３０を着脱可能に構成されている。カセット装着部１６０は、現金搬送カセット３０から現金を入金し、あるいは、現金搬送カセット３０へ現金を出金することができるように構成されている。
【００３８】
リード部１５７は、後述する現金搬送カセット３０に設けられた記憶部３５に格納された情報を読み取ることができるように構成されている。またライト部１５８は、現金搬送カセット３０に設けられた記憶部３５へ情報を書き込むことができるように構成されている。
【００３９】
メモリ１７０は、現金精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。メモリ１７０は、収納部１５０および現金搬送カセット３０に収納されている現金の情報（金種、数量等）も記憶している。さらに、メモリ１７０は、識別部１４０で識別された現金の数量を金種ごとに記憶してもよい。
【００４０】
通信部１８０は、現金処理システム１を構成する他の装置（現金出納装置２１、現金管理装置２５、ＰＯＳ管理装置２８）と通信可能に接続されている。
【００４１】
制御部１９０は、メモリ１７０内のプログラムを実行して現金精算装置１１の全体を制御するように構成された演算処理装置である。
【００４２】
図４は、現金精算装置１１のうち紙幣精算装置１２の内部構成の一例を示す断面図である。紙幣精算装置１２は入金部カバー１１１ａを備えており、店員は入金時に入金部カバー１１１ａを開けて紙幣を入金部１１０ａへ投入する。入金部１１０ａは投入された紙幣を一枚ずつ搬送部１３０ａへ繰り出すように構成されている。搬送部１３０ａは、繰り出された紙幣を識別部１４０ａに通過させた後、収納部１５０ａ、現金搬送カセット３０または出金部１２０ａへ搬送するように構成されている。識別部１４０ａは、搬送されている紙幣の金種、真偽、正損、新旧、数量等を識別する。搬送部１３０ａは、識別部１４０ａによる識別結果に基づいて紙幣を金種ごとに収納部１５０ａに収納する。
【００４３】
尚、搬送部１３０ａは、収納部１５０ａがフルの場合等、必要に応じて、現金搬送カセット３０に紙幣を搬送してよい。また、搬送部１３０ａは、識別部１４０ａにおいて紙幣が識別することができなかったり、偽紙幣が識別された場合、それを出金部１２０ａへ投出するようになっている。
【００４４】
一方、紙幣を出金するために、収納部１５０ａは、紙幣を一枚ずつ搬送部１３０ａへ繰り出すように構成されている。搬送部１３０ａは、繰り出された紙幣を出金部１２０ａへ搬送する。紙幣精算装置１２は、出金部シャッタ１２１ａを備えており、出金時に出金部シャッタ１２１ａを開け、紙幣を投出する。
【００４５】
このように、紙幣精算装置１２は、入金部１１０ａに投入された紙幣を収納部１５０ａへ収納し、逆に、収納部１５０ａに収納された紙幣を出金部１２０ａへ投出することができる。即ち、紙幣精算装置１２は、入金された紙幣を出金に再利用することができるように構成されている。
【００４６】
現金搬送カセット３０がカセット装着部１６０ａに装着されている場合、紙幣精算装置１２は、現金搬送カセット３０から収納部１５０ａへ紙幣を装填し、あるいは、収納部１５０ａから現金搬送カセット３０へ紙幣を回収することができる。紙幣を装填する場合、現金搬送カセット３０が紙幣を一枚ずつ搬送部１３０ａへ繰り出す。搬送部１３０ａは繰り出された紙幣を収納部１５０ａへ装填する。紙幣を回収する場合、収納部１５０ａが紙幣を一枚ずつ搬送部１３０ａへ繰り出す。搬送部１３０ａは繰り出された紙幣を現金搬送カセット３０へ回収する。
【００４７】
このように、紙幣精算装置１２は、現金搬送カセット３０を用いて紙幣の装填および回収を行うことができるように構成されている。
【００４８】
表示装置１９５は、現金管理装置２５の管理部２６に通信可能に接続され、管理部２６からの情報を表示する案内装置として機能するよう構成されている。表示装置１９５は、例えば、液晶ディスプレイ等でよい。
【００４９】
図５（Ａ）および図５（Ｂ）は、現金精算装置１１のうち硬貨精算装置１３の内部構成の一例を示す断面図である。図５（Ａ）は硬貨精算装置１３を側方から見た断面図であり、図５（Ｂ）は硬貨精算装置１３を正面から見た断面図である。尚、図５（Ｂ）では、現金搬送カセット３０および繰出部１３７ｂの図示を省略しており、収納部１５０ｂを図示している。
【００５０】
硬貨精算装置１３は、図５（Ｂ）に示すように入金部１１０ｂを備えており、店員は入金時に硬貨を入金部１１０ｂへ投入する。このとき、複数の金種の硬貨は、混合された状態で投入されてよい。円盤型の繰出部１３３ｂは、入金部１１０ｂに投入された硬貨を一枚ずつ搬送部１３０ｂへ繰り出すように構成されている。搬送部１３０ｂは、繰り出された硬貨を識別部１４０ｂに通過させた後、収納部１５０ｂ、現金搬送カセット３０または出金部１２０ｂへ搬送する。識別部１４０ｂは、搬送されている硬貨の金種、真偽、正損、新旧、数量等を識別する。搬送部１３０ｂは、識別部１４０ｂによる識別結果に基づいて硬貨を金種ごとに選別し、硬貨を対応する金種の収納部１５０ｂに収納する。
【００５１】
尚、搬送部１３０ｂは、収納部１５０ｂがフルの場合等、必要に応じて、硬貨を現金搬送カセット３０または回収ボックス１３５ｂに搬送してよい。また、搬送部１３０ｂは、識別部１４０ｂにおいて硬貨がリジェクト硬貨であると識別された場合、そのリジェクト硬貨を出金部１２０ｂへ投出する。
【００５２】
一方、硬貨を出金するために、収納部１５０ｂは、硬貨を一枚ずつ搬送部１３１ｂへ繰り出すように構成されている。複数の収納部１５０ｂは、各金種ごとに貨幣を収納しており、それぞれ円盤型の繰出部１５３ｂを備えている。繰出部１５３ｂは、硬貨を一枚ずつ搬送部１３０ｂへ繰り出すように構成されている。搬送部１３０ｂは、繰り出された硬貨を出金部１２０ｂへ搬送する。これにより、硬貨精算装置１３は、硬貨を出金部１２０ｂへ投出する。
【００５３】
このように、硬貨精算装置１３は、入金部１１０ｂに投入された硬貨を収納部１５０ｂへ収納し、逆に、収納部１５０ｂに収納された硬貨を出金部１２０ｂへ投出することができる。即ち、硬貨精算装置１３は、入金された硬貨を出金に再利用することができるように構成されている。
【００５４】
現金搬送カセット３０がカセット装着部１６０ｂに装着されている場合、硬貨精算装置１３は、現金搬送カセット３０から収納部１５０ｂへ硬貨を装填し、あるいは、収納部１５０ｂから現金搬送カセット３０へ硬貨を回収することができる。硬貨を装填する場合、現金搬送カセット３０は、図５（Ａ）に示す繰出部１３７ｂに硬貨を投出する。このとき、現金搬送カセット３０は、金種の混合された状態で硬貨を繰出部１３７ｂに投出してよい。繰出部１３７ｂは硬貨を搬送部１３１ｂに繰り出す。搬送部１３１ｂは繰り出された硬貨を繰出部１３３ｂへ搬送し、繰出部１３３ｂは、硬貨を一枚ずつ搬送部１３０ｂへ繰り出す。搬送部１３０ｂは、繰り出された硬貨を識別部１４０ｂに通過させた後、収納部１５０ｂまたは出金部１２０ｂへ搬送するように構成されている。識別部１４０ｂは、搬送されている硬貨の金種を識別する。搬送部１３０ｂは、識別部１４０ｂによる識別結果に基づいて硬貨を金種ごとに収納部１５０ｂに収納する。
【００５５】
硬貨を回収する場合、硬貨精算装置１３は、収納部１５０ｂから硬貨を一枚ずつ搬送部１３１ｂへ繰り出す。搬送部１３１ｂは繰り出された硬貨を現金搬送カセット３０へ回収する。
【００５６】
このように、硬貨精算装置１３は、現金搬送カセット３０を用いて硬貨の装填および回収を行うことができるように構成されている。
【００５７】
［現金出納装置２１の構成］
現金出納装置２１は、硬貨精算装置１３へ装填する硬貨を出金し、硬貨精算装置１３から回収した硬貨を入金する硬貨出納装置２３と、紙幣精算装置１２へ装填する紙幣を出金し、紙幣精算装置１２から回収した紙幣を入金する紙幣出納装置２２とを含む。
【００５８】
以下、紙幣出納装置２２の構成要素と硬貨出納装置２３の構成要素とを区別するために、紙幣出納装置２２の構成要素の参照番号に“ａ”を付し、硬貨出納装置２３の構成要素の参照番号に“ｂ”を付す。紙幣出納装置２２および硬貨出納装置２３は、取り扱う対象が硬貨と紙幣とでそれぞれ異なるため具体的な構成については相違するものの、図７に示す基本的なブロック構成については同様でよい。操作表示部２９５は、紙幣出納装置２２または硬貨出納装置２３のいずれか一方に設けられ、それらの両方の情報を表示するために共通に用いられる。
【００５９】
図６は、現金出納装置２１の一例を示す外観を示す図である。現金出納装置２１は、紙幣出納装置２２および硬貨出納装置２３を備える。紙幣出納装置２２は、筐体２００ａと、入金部２１０ａと、出金部２２０ａと、操作表示部２９５とを備えている。入金部２１０ａは、紙幣を投入するために設けられている。出金部２２０ａは、紙幣を投出するために設けられている。入金部２１０ａは、バラ紙幣を繰り出すバラ紙幣繰出部２１１ａまたは現金搬送カセット３０を選択的に装着できるように構成されている。従って、入金部２１０ａは、現金搬送カセット３０を用いることなくバラ紙幣を入金することができ、現金搬送カセット３０から紙幣を入金することもできる。出金部２２０ａは、現金搬送カセット３０を用いることなくバラ紙幣を出金することができる。前カバー２０１ａを開くと、図８に示す回収部２５５ａおよび収納部２５０ａが設けられている。
【００６０】
操作表示部２９５は、現金出納装置２１、現金精算装置１１および現金搬送カセット３０の状態等を表示し、かつ、店員がデータを入力することができるように構成されている。操作表示部２９５は、例えば、タッチパネル式ディスプレイ等でよい。
【００６１】
硬貨出納装置２３は、筐体２００ｂと、入金部２１０ｂと、出金部２２０ｂとして機能するドロワ装着部２６０とを備えている。入金部２１０ｂは、硬貨を投入するために設けられている。ドロワ装填部２６０は、硬貨を投出するために設けられている。入金部２１０ｂは、バラ硬貨をそのまま投入するか、または現金搬送カセット３０を装着できるように構成されている。従って、入金部２１０ｂは、現金搬送カセット３０を用いることなくバラ硬貨を入金することができ、現金搬送カセット３０から硬貨を入金することもできる。ドロワ装着部２６０は、硬貨を金種ごとに収納する収納ドロワ２５８ｂまたは現金搬送カセット３０を選択的に装着できるように構成されている。従って、ドロワ装着部２６０は、現金搬送カセット３０を用いることなく硬貨を出金することができ、現金搬送カセット３０へ硬貨を出金することもできる。
【００６２】
図７は、現金出納装置２１の構成例を示すブロック図である。現金出納装置２１は、入金部２１０、出金部２２０および操作表示部２９５のほか、搬送部２３０と、識別部２４０と、収納部２５０と、回収部２５５と、リード部２５７と、ライト部２５８と、機外リジェクト部２２２と、機内リジェクト部２２４と、メモリ２７０と、通信部２８０と、制御部２９０とをさらに備えている。
【００６３】
現金出納装置２１の入金部２１０は、バラ貨幣繰出部２０１または現金搬送カセット３０を選択的に装着することができるように構成されている。例えば、店員が現金出納装置２１へバラ貨幣を入金する場合には、バラ貨幣繰出部２０１が入金部２１０に装着される。店員が現金出納装置２１へ現金搬送カセット３０を用いて現金を入金する場合には、バラ貨幣繰出部２０１に代えて、現金搬送カセット３０が入金部２１０に装着される。即ち、現金出納装置２１は、バラ貨幣繰出部２０１に代えて、入金部２１０に現金搬送カセット３０を着脱することができるように構成されている。
【００６４】
搬送部２３０は、入金部２１０に投入された現金を収納部２５０へ搬送し、あるいは、出金部２２０から投出される現金を収納部２５０から搬送する。また、搬送部２３０は、収納部２５０から現金搬送カセット３０へ現金を搬送し、あるいは、現金搬送カセット３０から収納部２５０へ現金を搬送できるように構成されている。
【００６５】
識別部２４０は、搬送部２３０によって搬送されている現金の金種、真偽、正損、新旧、数量等を検知するように構成されている。例えば、識別部２４０は、磁気センサ、蛍光センサ、金属スレッドセンサ、厚みセンサ、イメージセンサ等のセンサを備えている。また、識別部２４０は、現金の数量を金種別にカウントする。
【００６６】
収納部２５０は、識別部２４０において識別された現金を金種ごとに収納することができるように構成されている。収納部２５０は、紙幣を収納する場合、スタック式収納部でもよく、あるいは、テープリール式収納部であってもよい。
【００６７】
なお収納部２５０においては、収納部２５０内に収容可能な現金の数量（収容可能量）が金種ごとに予め定められている。なお本実施の形態による現金管理システム１においては、後述するように、現金精算装置１１の売上金を店員が現金出納装置２１に搬送する回収処理の際、現金出納装置２１に収容される現金の数量が収容可能量を超えないよう、現金管理装置２５の管理部２６が適切な搬送先に関する判定または選択を実施している。
【００６８】
リード部２５７は、後述する現金搬送カセット３０に設けられた記憶部３５に格納された情報を読み取ることができるように構成されている。またライト部２５８は、現金搬送カセット３０に設けられた記憶部３５へ情報を書き込むことができるように構成されている。
【００６９】
メモリ２７０は、現金出納装置２１を制御する各種プログラムおよびデータを格納するＲＯＭまたはＨＤＤ、および、プログラムのロード領域やプログラム実行時における作業領域となるＲＡＭ等を含む。メモリ２７０は、収納部２５０および現金搬送カセット３０に収納されている現金の情報（金種、数量等）も記憶している。さらに、メモリ２７０は、識別部２４０で識別された現金の数量を金種ごとに記憶してもよい。
【００７０】
通信部２８０は、現金処理システム１を構成する他の装置（現金精算装置１１、現金管理装置２５、ＰＯＳ管理装置２８）と通信可能に接続されている。
【００７１】
制御部２９０は、メモリ２７０内のプログラムを実行して現金出納装置２１の全体を制御するように構成された演算処理装置である。
【００７２】
図８は、現金出納装置２１のうち紙幣出納装置２２の内部構成の一例を示す断面図である。図８は、入金部２１０ａに現金搬送カセット３０を装着した状態を示す。尚、操作表示部２９５については、図８においてその図示を省略している。
【００７３】
店員が現金搬送カセット３０から収納部２５０ａへ紙幣を入金する場合、図８に示すように、店員は、入金部２１０ａに現金搬送カセット３０を装着する。現金搬送カセット３０は、その中にある紙幣を一枚ずつ搬送部２３０ａへ繰り出す。搬送部２３０ａは、繰り出された紙幣を識別部２４０ａに通過させた後、収納部２５０ａ、回収集積部２５４ａまたは機外リジェクト部２２２ａへ搬送するように構成されている。識別部２４０ａは、搬送されている紙幣の金種、真偽、正損、新旧、数量等を識別する。搬送部２３０ａは、識別部２４０ａによる識別結果に基づいて紙幣を金種ごとに収納部２５０ａに収納する。
【００７４】
また、搬送部２３０ａは、識別部２４０ａにおいて紙幣を識別することができなかったり、偽紙幣が識別された場合、それを機外リジェクト部２２２ａへ投出する。
【００７５】
一方、紙幣を出金する場合には、紙幣を現金搬送カセット３０へ搬送するために、収納部２５０ａが紙幣を一枚ずつ搬送部２３０ａへ繰り出す。搬送部２３０ａは、繰り出された紙幣を現金搬送カセット３０へ出金する。これにより、紙幣出納装置２２は、現金精算装置１１へ装填する紙幣を現金搬送カセット３０へ出金することができる。紙幣の搬送の途中でセンサ２４２ａが重送、連鎖、斜行等の搬送異常を検出した場合、搬送部２３０ａは、その紙幣を機内リジェクト部２２４ａへ搬送する。
【００７６】
このように、紙幣出納装置２２は、現金精算装置１１へ装填される紙幣を現金搬送カセット３０へ出金することができ、また、現金精算装置１１から回収された紙幣を現金搬送カセット３０から入金することができるように構成されている。即ち、紙幣出納装置２２は、入金された紙幣を出金に再利用することができるように構成されている。
【００７７】
図９（Ａ）および図９（Ｂ）は、現金出納装置２１のうち硬貨出納装置２３の内部構成の一例を示す断面図である。図９（Ａ）は硬貨出納装置２３を側方から見た断面図であり、図９（Ｂ）は硬貨出納装置２３を正面から見た断面図である。
【００７８】
硬貨出納装置２３は、入金部２１０ｂを備えており、現金精算装置１１から回収した硬貨を現金搬送カセット３０から入金することができるように構成されている。また、硬貨出納装置２３は、回収部２５５ｂおよび現金搬送カセット３０を装着可能なドロア装着部２６０を備えている。ドロア装着部２６０に現金搬送カセット３０を装着することによって、現金精算装置１１へ装填する硬貨を現金搬送カセット３０へ金種別に区分けして出金することができる。
【００７９】
現金搬送カセット３０が入金部２１０ｂに装着されている場合、硬貨出納装置２３は、現金精算装置１１から回収した硬貨を現金搬送カセット３０から入金することができる。店員が現金搬送カセット３０を入金部２１０ｂに装着すると、現金搬送カセット３０は、繰出部２３３ｂへ硬貨を投入する。このとき、貨幣は、金種混合の状態で投入されてよい。
【００８０】
円盤型の繰出部２３３ｂは、入金部２１０ｂに投入された硬貨を一枚ずつ搬送部２３０ｂへ繰り出すように構成されている。搬送部２３０ｂは、繰り出された硬貨を識別部２４０ｂに通過させた後、一時保留部２３５ｂへ搬送するように構成されている。一時保留部２３５ｂは、金種ごとに設けられており、硬貨を一時的に保留するように構成されている。
【００８１】
識別部２４０ｂは、搬送されている硬貨の金種、真偽、正損、新旧、数量等を識別する。搬送部２３０ｂは、識別部２４０ｂによる識別結果に基づいて硬貨を金種ごとに選別し、硬貨を対応する金種の一時保留部２３５ｂに入れる。
【００８２】
各一時保留部２３５ｂは、対応する金種の収納部２５０ｂにシュート２３６ｂを介して連通しており、投入された硬貨が全て一時保留部２３５ｂに保留された後、硬貨を対応する金種の収納部２５０ｂへ収納する。
【００８３】
搬送部２３０ｂは、識別部２４０ｂにおいて硬貨がリジェクト硬貨であると識別された場合に、そのリジェクト硬貨をリジェクト部２３４ｂへ搬送してよい。
【００８４】
また硬貨出納装置２３は、現金精算装置１１へ装填する硬貨を現金搬送カセット３０へ出金することができる。この場合、硬貨は、収納部２５０ｂからシュート２５６ｂを介して現金搬送カセット３０へ投出される。このとき、現金搬送カセット３０へ投出された硬貨は、金種混合の状態であってもよい。
【００８５】
このように、硬貨出納装置２３は、現金搬送カセット３０からの硬貨を収納部２５０ｂへ収納し、逆に、収納部２５０ｂに収納された硬貨を現金搬送カセット３０へ投出することができる。
【００８６】
現金搬送カセット３０は、該現金搬送カセット３０を特定するためのカセットＩＤ情報を少なくとも記憶する記憶部３５を備えている。現金処理システム１内に複数の現金搬送カセット３０がある場合、各現金搬送カセット３０は、互いに異なるカセットＩＤ情報を有する。これにより、現金精算装置１１および現金出納装置２１が、現金搬送カセット３０を特定することができる。カセットＩＤ情報は、例えば、複数の現金搬送カセット３０のそれぞれに対して設定された固有の番号でよい。また、記憶部３５は、必要に応じて現金搬送カセット３０に収容されている現金の金種や数量等の情報を格納してもよい。
【００８７】
（現金処理システム１の動作）
次に、現金処理システム１の具体的な動作を説明する。各現金精算装置１１の現金在高、現金出納装置２１の現金在高、各現金精算装置１１において入金または出金された現金の金額、現金出納装置２１と各現金精算装置１１との間で装填または回収された現金の金額は、各装置１１，１２毎に管理されるとともに、すべて現金管理装置２５において管理されている。また、複数の現金精算装置１１は、互いに区別することができるようにそれぞれ固有のＩＤ情報を有し、複数の現金精算装置１１の各メモリ１７０がそのＩＤ情報を格納している。同様に、複数の現金出納装置２１は、互いに区別することができるようにそれぞれ固有のＩＤ情報を有し、複数の現金出納装置２１の各メモリ２７０がそのＩＤ情報を格納している。また、現金管理装置２５も各現金精算装置１１及び各現金出納装置２１のＩＤ情報を把握している。
【００８８】
例えば合計で３０台の現金精算装置１１が設けられている場合、各現金精算装置１１はそれぞれＸｋ（ｋ＝１〜３０の整数）というＩＤ情報を有している。なお以下の説明において、ＸｋというＩＤ情報を有する現金精算装置１１を現金精算装置１１（Ｘｋ）と称する。例えば、Ｘ１というＩＤ情報を有する現金精算装置１１を現金精算装置１１（Ｘ１）と称する。
【００８９】
また、合計で３台の現金出納装置２１が設けられている場合、各現金出納装置２１はそれぞれＹｌ（ｌ＝１〜３の整数）というＩＤ情報を有している。なお以下の説明において、ＹｌというＩＤ情報を有する現金出納装置２１を現金出納装置２１（Ｙｌ）と称する。例えば、Ｙ１というＩＤ情報を有する現金出納装置２１を現金出納装置２１（Ｙ１）と称する。
【００９０】
また、以下の説明において、現金搬送カセット３０は現金精算装置１１と同数だけ準備されており、また、各現金搬送カセット３０は３０台の現金精算装置１１のうちいずれか１台の現金精算装置１１に対応付けられているとする。例えば、Ｚｋ（ｋ＝１〜３０の整数）というカセットＩＤ情報をそれぞれ有する３０台の現金搬送カセット３０が準備されており、また、ＺｋというカセットＩＤ情報を有する現金搬送カセット３０は、現金精算装置１１（Ｘｋ）に対応付けられているとする。すなわち、ＺｋというカセットＩＤ情報を有する現金搬送カセット３０は、現金精算装置１１（Ｘｋ）で専ら使用されるものとする。なお以下の説明において、ＺｋというカセットＩＤ情報を有する現金搬送カセット３０を現金搬送カセット３０（Ｚｋ）と称する。例えば、Ｚ１というカセットＩＤ情報を有する現金搬送カセット３０を現金搬送カセット３０（Ｚ１）と称する。
【００９１】
以下の各処理において、現金精算装置１１と現金出納装置２１との間の通信は現金管理装置２５を介して行われる。しかし、現金精算装置１１と現金出納装置２１とは互いに直接通信してもよいことは言うまでもない。
【００９２】
また、以下の具体的な動作の例において、現金処理システム１は、紙幣および硬貨のいずれにも適用できる。例えば、紙幣を処理する場合、現金精算装置１１のうち紙幣精算装置１２を使用し、現金出納装置２１のうち紙幣出納装置２２を使用すればよい。また、現金搬送カセット３０は、紙幣用の現金搬送カセット（スタック式またはテープリール式のいずれでもよい）を使用すればよい。一方、硬貨を処理する場合、現金精算装置１１のうち硬貨精算装置１３を使用し、現金出納装置２１のうち硬貨出納装置２３を使用すればよい。以下、便宜的に紙幣と硬貨とをまとめて「現金」と表現するが、「現金」は、「紙幣」または「硬貨」のいずれに置き換えてもよい。
【００９３】
また、以下の具体的な動作の例において、説明の便宜上、各現金出納装置２１における収容部２５０の収容可能量は、金種によらず３００枚となっていると仮定する。
【００９４】
第１の動作の形態
はじめに、各現金精算装置１１のうち現金精算装置１１（Ｘ１）に収納された売上金を店員が現金出納装置２１へ回収する際の動作の一形態について説明する。ここでは、説明の便宜上、現金精算装置１１（Ｘ１）に収納された売上金および各現金出納装置２１に収納されている現金が、１つの金種のみからなると仮定する。また、現金精算装置１１（Ｘ１）には、９０枚の現金が収納されており、そして、９０枚の現金全てが現金搬送カセット３０(Ｚ１)によって回収されると仮定する。また、３台の現金出納装置２１（Ｙ１）〜２１（Ｙ３）にはそれぞれ２５０枚、２００枚、４０枚の現金が既に収納されていると仮定する。
【００９５】
なお以下に説明する本形態において、管理部２６の入金判定手段２６Ａは、現金搬送カセット３０が現金精算装置１１に装着されている時、当該現金搬送カセット３０が受ける現金精算装置１１内の現金が現金出納装置２１に入金され得るかどうかを判定するよう構成されている。
【００９６】
［回収処理］
以下、図１０および図１１を参照して、本形態における回収処理について説明する。図１０は、本形態による現金管理システム１における回収処理の動作を示すフロー図である。
【００９７】
まず、店員が現金精算装置１１（Ｘ１）、現金出納装置２１または現金管理装置２５において回収処理の開始を選択すると、現金精算装置１１（Ｘ１）は、収納部１５０に収納された９０枚の現金全てを繰り出し、現金搬送カセット３０（Ｚ１）へ出金する（Ｓ２００）。また現金精算装置１１（Ｘ１）のリード部１５７は、現金搬送カセット３０（Ｚ１）の記憶部３５に記憶されているカセットＩＤ情報を読み取る。
【００９８】
現金精算装置１１（Ｘ１）は、自己のＩＤ情報（＝Ｘ１）、回収される現金（以下、回収金という）を収容した現金搬送カセット３０（Ｚ１）のカセットＩＤ情報（＝Ｚ１）、回収金の金種情報および数量情報を関連付けて、バックオフィス２０の現金出納装置２１へ送信する（Ｓ２１０）。以下、現金精算装置１１のＩＤ情報、回収金を収容した現金搬送カセット３０（Ｚ１）のカセットＩＤ情報、回収金の金種情報および数量情報を「回収関連情報」と呼ぶ。
【００９９】
バックオフィス２０に設置された現金管理装置２５は、現金精算装置１１（Ｘ１）からの回収関連情報を受信し、この回収関連情報を記憶する（Ｓ２２０）。現金精算装置１１（Ｘ１）のライト部１５８は、回収関連情報を現金搬送カセット３０（Ｚ１）の記憶部３５に書き込んでもよい。
【０１００】
現金管理装置２５の管理部２６の入金判定手段２６Ａは、現金精算装置１１(Ｘ１)からの回収関連情報に基づいて、現金搬送カセット３０(Ｚ１)が受ける回収金が各現金出納装置２１（Ｙ１）〜２１（Ｙ３）に入金され得るかどうかをそれぞれ判定する（Ｓ２２２）。
【０１０１】
具体的には、入金判定手段２６Ａは、はじめに、現金出納装置２１（Ｙ１）に既に収納されている現金の数量２５０枚と、現金搬送カセット３０（Ｚ１）が受ける回収金の数量９０枚とを加算する。次に、算出された加算結果が現金出納装置２１の収容可能量を超えているかどうかを判定する。この場合、加算結果は３４０枚となっており、現金出納装置２１（Ｙ１）の収容可能量３００枚を超えている。従って、現金出納装置２１（Ｙ１）に対する入金判定の結果は「ＮＧ」となる。
【０１０２】
同様にして、入金判定手段２６Ａは、現金出納装置２１（Ｙ２）および現金出納装置２１（Ｙ３）に対する入金判定を実施する。このようにして実施される判定の結果をまとめたものを図１１に示す。これらの判定の結果は、現金搬送カセット３０（Ｚ１）のカセットＩＤ情報に対応付けられた上で管理部２６に記憶される。なお図１１において、「判定時の在高」という行は、入金判定手段２６Ａが判定を実施する際に各現金出納装置２１（Ｙ１）〜２１（Ｙ３）に既に収納されている現金の数量を表している。
【０１０３】
次に、管理部２６の入金判定手段２６Ａによって実施された判定の結果に関する情報が、表示装置１９５に送信される（Ｓ２２８）。この情報は、図１０に示すように各現金出納装置２１にも送信されてもよい。このとき、上述の回収関連情報が同時に各現金出納装置２１に送信されてもよい。
【０１０４】
表示装置１９５は、管理部２６から送られた判定結果を表示する（Ｓ２３２）。例えば、各現金出納装置２１（Ｙ１）〜２１（Ｙ３）に関する「ＯＫ」または「ＮＧ」という判定結果が表示される。これによって、店員は、現金搬送カセット３０（Ｚ１）が受ける回収金を入金することが可能な現金出納装置２１に関する情報を得ることができる。
【０１０５】
次に、店員は、現金搬送カセット３０（Ｚ１）を現金精算装置１１（Ｘ１）から離脱させる（Ｓ２４０）。そして、店員は、現金出納装置２１へ現金搬送カセット３０（Ｚ１）を搬送する。ここで上述のように、店員は、現金搬送カセット３０（Ｚ１）が受ける回収金を入金することが可能な現金出納装置２１に関する情報を得ている。このため、店員は、迷うことなく現金出納装置２１（Ｙ２），２１（Ｙ３）のいずれかへ現金搬送カセット３０（Ｚ１）を搬送すればよい。
【０１０６】
店員が現金搬送カセット３０を現金出納装置２１に装着すると（Ｓ２４５）、現金出納装置２１のリード部２５７は、現金搬送カセット３０（Ｚ１）の記憶部３５に記憶されている情報（カセットＩＤ情報および回収関連情報）を読み取る（Ｓ２５０）。読み取られたカセットＩＤ情報は、現金搬送カセット３０（Ｚ１）が装着された現金出納装置２１のＩＤ情報とともに現金管理装置２５の照合部２７に送信される。
【０１０７】
照合部２７は、管理部２６の入金判定手段２６Ａによって実施された判定の結果と、現金搬送カセット３０（Ｚ１）の記憶部３５から読み取られたカセットＩＤ情報とを照合する（Ｓ２６０）。具体的には、現金搬送カセット３０（Ｚ１）が装着された現金出納装置２１のＩＤ情報が、入金判定手段２６Ａによる判定結果において現金搬送カセット３０（Ｚ１）に対して「ＯＫ」と判定された現金出納装置２１に対応しているかどうかを照合する。これによって、現金搬送カセット３０（Ｚ１）が、判定結果において「ＯＫ」と判定された現金出納装置２１（Ｙ２），２１（Ｙ３）のいずれかに適切に装着されているかどうかが判断される。
【０１０８】
現金搬送カセット３０（Ｚ１）が適切な現金出納装置２１に装着されていると判断された場合（Ｓ２６５のＹＥＳ）、現金出納装置２１は、現金搬送カセット３０（Ｚ１）に収容された現金を回収する（Ｓ２７０）。回収された現金は、現金出納装置２１の収納部２５０へ収納される。
【０１０９】
照合の結果、現金搬送カセット３０（Ｚ１）が適切な現金出納装置２１に装着されていないと判断された場合（Ｓ２６５のＮＯ）、現金出納装置２１は、現金搬送カセット３０（Ｚ１）の現金を回収せず、エラーを店員に通知する（Ｓ２７５）。エラーは、操作表示部２９５に表示すればよい。エラー通知を受けた店員は、現金搬送カセット３０（Ｚ１）を適切な現金出納装置２１に装着する等の対応をとることによってエラーを解消する。
【０１１０】
現金の回収が終了すると、現金出納装置２１は、回収完了通知を現金管理装置２５へ送信する（Ｓ２８０）。
【０１１１】
現金管理装置２５は、回収完了通知を受信すると、現金精算装置１１（Ｘ１）および現金搬送カセット３０（Ｚ１）が装着された現金出納装置２１の在高を更新する（Ｓ２８５）。これにより、現金精算装置１１（Ｘ１）に関する一連の回収処理が完了する。その他の現金精算装置１１（Ｘ２）〜１１（Ｘ３０）に関しても、上記ステップＳ２００〜Ｓ２８５を繰り返すことによって、回収処理を実施することができる。
【０１１２】
以上のように、本形態による現金処理システム１は、現金精算装置１１および現金出納装置２１に通信可能に接続された管理部２６であって、現金搬送カセット３０が現金精算装置１１に装着されている時、当該現金搬送カセット３０が受ける現金精算装置１１内の現金が現金出納装置２１に入金され得るかどうかを判定する入金判定手段２６Ａを有する管理部２６と、管理部２６に通信可能に接続されており、管理部２６からの情報を表示する表示装置１９５と、を備えている。このため、店員は、特定の現金精算装置１１から現金搬送カセット３０が受ける回収金を入金することが可能な現金出納装置２１に関する情報を得ることができる。このため、店員は、迷うことなく現金搬送カセット３０の回収金を適切な現金出納装置２１へ搬送することができる。これによって、売上金の回収に要する時間を短くすることができる。
【０１１３】
また、本形態による現金処理システム１は、管理部２６に通信可能に接続された照合部２７であって、現金搬送カセット３０が現金出納装置２１に装着されている時、当該現金出納装置２１のリード部２５７により読み出されたカセットＩＤ情報と管理部２６からの情報とを照合する照合部２７をさらに備えている。このため、回収金が納められた現金搬送カセット３０が、不適切な現金出納装置２１に誤って装着されることを防ぐことができる。
【０１１４】
なお本形態において、現金出納装置２１が複数設けられている例を示した。しかしながら、仮に現金出納装置２１が１台のみ設けられている場合であっても、本形態による現金管理システム１は効果を発揮することができる。例えば、本形態による現金管理システム１によって、店員は、特定の現金精算装置１１から現金搬送カセット３０が受ける回収金を当該現金出納装置２１に入金することができるかどうかに関する情報を、表示装置１９５から得ることができる。このため、現金出納装置２１の収納部２５０がフルとなっている場合に、店員が無駄に回収金を当該現金出納装置２１へ搬送することを防ぐことができる。また、店員が現金精算装置１１から現金出納装置２１へ現金搬送カセット３０を運ぶ間に不測の事態が発生した場合であっても、不適切な現金搬送カセット３０が現金出納装置２１に装着されることを防ぐことができる。
【０１１５】
また本形態において、現金出納装置２１のリード部２５７により読み出されたカセットＩＤ情報と管理部２６からの情報とを照合する照合部２７が、現金管理装置２５に設けられている例を示した。しかしながら、これに限られることはなく、照合部２７が現金出納装置２１に設けられていてもよい。例えば、照合部２７としての機能が、現金出納装置２１の制御部２９０に実装されていてもよい。この場合、制御部２９０は、ステップＳ２２８において管理部２６から送信される、判定の結果に関する情報および回収関連情報などの情報と、リード部２５７により読み出されたカセットＩＤ情報とを照合するよう構成されている。
【０１１６】
第２の動作の形態
次に、各現金精算装置１１のうち現金精算装置１１（Ｘ１）に収納された売上金を店員が現金出納装置２１へ回収する際の動作のその他の形態について説明する。
【０１１７】
本形態において、管理部２６の選択手段２６Ｂは、現金搬送カセット３０が現金精算装置１１に装着されている時、入金判定手段２６Ａからの情報に基づいて、現金搬送カセット３０が受ける現金精算装置１１内の現金が入金されるべき一の現金出納装置２１を選択するよう構成されている。本形態において、他の構成は、上述の第１の形態と略同一となっている。従って、以下に説明する本形態において、上述の第１の形態と同一部分には同一符号を付して詳細な説明を省略する。
【０１１８】
本形態においても、上述の第１の形態の場合と同様に、現金精算装置１１（Ｘ１）には、９０枚の現金が収納されており、そして、９０枚の現金全てが現金搬送カセット３０(Ｚ１)によって回収されると仮定する。また、３台の現金出納装置２１（Ｙ１）〜２１（Ｙ３）にはそれぞれ２５０枚、２００枚、４０枚の現金が既に収納されていると仮定する。
【０１１９】
［回収処理］
以下、図１２および図１３を参照して、本形態における回収処理について説明する。図１２は、本形態による現金管理システム１における回収処理の動作を示すフロー図である。
【０１２０】
まず、店員が現金精算装置１１（Ｘ１）、現金出納装置２１または現金管理装置２５において回収処理の開始を選択すると、現金精算装置１１（Ｘ１）は、収納部１５０に収納された９０枚の現金全てを繰り出し、現金搬送カセット３０（Ｚ１）へ出金する（Ｓ２００）。以下、図１２に示すステップＳ２００〜Ｓ２２２までの動作は、図１０に示す第１の形態におけるステップＳ２００〜Ｓ２２２までの動作と同一であるため、詳細な説明を省略する。
【０１２１】
ステップＳ２２２において管理部２６の入金判定手段２６Ａにより実施される判定の結果をまとめたものを図１３に示す。これらの判定の結果は、現金搬送カセット３０（Ｚ１）のカセットＩＤ情報に対応付けられた上で管理部２６に記憶される。なお本形態においては、入金判定手段２６Ａによる判定の際、「ＯＫ」と判定された現金出納装置２１に現金精算装置１１（Ｘ１）からの回収金が入金されるとした場合の、入金後の各現金出納装置２１における在高（以下、仮想的な在高と称する）が同時に算出されてもよい。図１３においては、算出された仮想的な在高が括弧内に示されている。
【０１２２】
次に、管理部２６の選択手段２６Ｂは、入金判定手段２６Ａからの情報に基づいて、現金搬送カセット３０（Ｚ１）が受ける回収金が入金されるべき一の現金出納装置２１を選択する（Ｓ２２６）。この際の選択基準としては様々な基準が考えられるが、例えば一例として、「ＯＫ」と判定された現金出納装置２１のうち、仮想的な在高と収容可能量との差が最も小さい現金出納装置２１を選択する、という選択基準が考えられる。
【０１２３】
ここで、現金出納装置２１（Ｙ２）における仮想的な在高は２９０枚であり、従って、仮想的な在高と収容可能量との差は１０枚となっている。一方、現金出納装置２１（Ｙ３）における仮想的な在高は１３０枚であり、従って、仮想的な在高と収容可能量との差は１７０枚となっている。従って、選択手段２６Ｂは、現金搬送カセット３０（Ｚ１）が受ける回収金が入金されるべき一の現金出納装置２１として現金出納装置２１（Ｙ２）を選択する（図１３参照）。
【０１２４】
次に、管理部２６の選択手段２６Ｂによって実施された選択の結果に関する情報が、表示装置１９５に送信される（Ｓ２２８）。この情報は、図１２に示すように各現金出納装置２１にも送信されてもよい。このとき、回収関連情報が同時に各現金出納装置２１に送信されてもよい。
【０１２５】
また、選択手段２６Ｂにより現金出納装置２１（Ｙ２）が選択された後、現金管理装置２５は、選択された現金出納装置２１（Ｙ２）の在高を暫定的に更新してもよい（Ｓ２３０）。すなわち、現金出納装置２１（Ｙ２）の在高を、現状の在高である２００枚と、現金精算装置１１（Ｘ１）からの回収金である９０枚とを加算して得られる値である２９０枚へ更新してもよい。これによって、現金精算装置１１（Ｘ１）からの回収金が実際に現金出納装置２１（Ｙ２）に入金されるよりも前に、入金判定手段２６Ａがその他の現金精算装置１１に関する入金可否の判定を実施する場合に、入金判定手段２６Ａが適切な判定を実施することが可能となる。
【０１２６】
表示装置１９５は、管理部２６から送られた選択結果を表示する（Ｓ２３２）。例えば、表示装置１９５は、現金搬送カセット３０（Ｚ１）に収納される回収金を現金出納装置２１（Ｙ２）に搬送する、という選択結果を表示する。これによって、店員は、現金搬送カセット３０（Ｚ１）が受ける回収金が入金されるべき現金出納装置２１に関する情報を得ることができる。
【０１２７】
次に、店員は、現金搬送カセット３０（Ｚ１）を現金精算装置１１（Ｘ１）から離脱させる（Ｓ２４０）。そして、店員は、現金出納装置２１（Ｙ２）へ現金搬送カセット３０（Ｚ１）を搬送する。
【０１２８】
店員が現金搬送カセット３０を現金出納装置２１に装着すると（Ｓ２４５）、現金出納装置２１のリード部２５７は、現金搬送カセット３０（Ｚ１）の記憶部３５に記憶されている情報（カセットＩＤおよび回収関連情報）を読み取る（Ｓ２５０）。読み取られたカセットＩＤ情報は、現金搬送カセット３０（Ｚ１）が装着された現金出納装置２１のＩＤ情報とともに現金管理装置２５の照合部２７に送信される。
【０１２９】
照合部２７は、管理部２６の選択手段２６Ｂによって実施された選択の結果と、現金搬送カセット３０（Ｚ１）の記憶部３５から読み取られたカセットＩＤ情報とを照合する（Ｓ２６０）。具体的には、現金搬送カセット３０（Ｚ１）が装着された現金出納装置２１のＩＤ情報が、選択手段２６Ｂによって選択された現金出納装置２１のＩＤ情報（＝Ｙ２）と一致しているかどうかを判断する。これによって、現金搬送カセット３０（Ｚ１）が、選択された現金出納装置２１（Ｙ２）に適切に装着されているかどうかが判断される。
【０１３０】
現金搬送カセット３０（Ｚ１）が適切な現金出納装置２１（Ｙ２）に装着されていると判断された場合（Ｓ２６５のＹＥＳ）、現金出納装置２１（Ｙ２）は、現金搬送カセット３０（Ｚ１）に収容された現金を回収する（Ｓ２７０）。回収された現金は、現金出納装置２１（Ｙ２）の収納部２５０へ収納される。
【０１３１】
照合の結果、現金搬送カセット３０（Ｚ１）が適切な現金出納装置２１（Ｙ２）に装着されていないと判断された場合（Ｓ２６５のＮＯ）、現金出納装置２１は、現金搬送カセット３０（Ｚ１）の現金を回収せず、エラーを店員に通知する（Ｓ２７５）。エラーは、操作表示部２９５に表示すればよい。このとき、管理部２６が記憶する情報に基づいて、現金搬送カセット３０（Ｚ１）が装着されるべき現金出納装置２１を操作表示部２９５に表示することも出来る。エラー通知を受けた店員は、現金搬送カセット３０（Ｚ１）を適切な現金出納装置２１（Ｙ２）に装着する等の対応をとることによってエラーを解消する。
【０１３２】
現金の回収が終了すると、現金出納装置２１は、回収完了通知を現金管理装置２５へ送信する（Ｓ２８０）。
【０１３３】
現金管理装置２５は、回収完了通知を受信すると、現金精算装置１１（Ｘ１）および現金搬送カセット３０（Ｚ１）が装着された現金出納装置２１（Ｙ２）の在高を更新する（Ｓ２８５）。これにより、現金精算装置１１（Ｘ１）に関する一連の回収処理が完了する。その他の現金精算装置１１（Ｘ２）〜１１（Ｘ３０）に関しても、上記ステップＳ２００〜Ｓ２８５を繰り返すことによって、回収処理を実施することができる。
【０１３４】
以上のように、本形態による現金処理システム１の管理部２６は、現金搬送カセット３０が現金精算装置１１に装着されている時、入金判定手段２６Ａからの情報に基づいて、現金搬送カセット３０が受ける現金精算装置１１内の現金が入金されるべき一の現金出納装置２１を選択する選択手段２６Ｂをさらに有している。このため、店員は、特定の現金精算装置１１からの回収金を迷うことなく最適な現金出納装置２１へ搬送することができる。これによって、売上金の回収に要する時間をさらに短くすることができる。
【０１３５】
なお本形態において、選択手段２６Ｂが、仮想的な在高と収容可能量との差が最も小さい現金出納装置２１を選択する例を示した。しかしながら、選択手段２６Ｂにおける具体的な選択基準が特に限られることはない。例えば、選択手段２６Ｂは、仮想的な在高と収容可能量との差が最も大きい現金出納装置２１を選択してもよい。若しくは、選択手段２６Ｂは、仮想的な在高と収容可能量との差が、予め定められた値に最も近くなっている現金出納装置２１を選択してもよい。
【０１３６】
第３の動作の形態
次に、各現金精算装置１１のうち現金精算装置１１（Ｘ１）〜１１（Ｘ３）に収納された売上金を店員が現金出納装置２１へ回収する際の動作の形態について説明する。
【０１３７】
本形態においては、現金精算装置１１（Ｘ１）に関する管理部２６の動作の後、現金精算装置１１（Ｘ１）からの回収金が実際に現金出納装置２１に入金されるよりも前に、現金精算装置１１（Ｘ２）および現金精算装置１１（Ｘ３）に関する管理部２６の動作が実施される場合について説明する。以下に説明する本形態において、上述の第１の形態および第２の形態と同一部分には同一符号を付して詳細な説明を省略する。
【０１３８】
現金精算装置１１（Ｘ１）〜（Ｘ３）には、それぞれ９０枚，４０枚，１２０枚の現金が収納されており、そして、収納されている現金全てが、対応する現金搬送カセット３０(Ｚ１) 〜（Ｚ３）によって回収されると仮定する。また、３台の現金出納装置２１（Ｙ１）〜２１（Ｙ３）にはそれぞれ２５０枚、２００枚、４０枚の現金が既に収納されていると仮定する。
【０１３９】
［回収処理］
以下、図１４を参照して、本形態における回収処理について説明する。なお個々の現金精算装置１１に対する現金管理装置２５の動作は、図１２に示す第２の形態の場合と略同一であるので、本形態においても、図１２に示されるフロー図が適宜参照される。
【０１４０】
まず、第１の店員が現金精算装置１１（Ｘ１）において回収処理の開始を選択すると、現金精算装置１１（Ｘ１）は、収納部１５０に収納された９０枚の現金全てを繰り出し、現金搬送カセット３０（Ｚ１）へ出金する（Ｓ２００）。その後、上述の第２の実施の形態の場合と同様に、現金搬送カセット３０（Ｚ１）が受ける回収金が入金されるべき一の現金出納装置２１として現金出納装置２１（Ｙ２）が選択される（Ｓ２２６）。次に、選択の結果に関する情報が、現金精算装置１１（Ｘ１）の表示装置１９５に送信される（Ｓ２２８）。
【０１４１】
図１４は、本形態において実施される入金判定手段２６Ａによる判定結果および選択手段２６Ｂによる選択結果をまとめて示している。これら判定結果および選択結果は、現金搬送カセット３０（Ｚ１）のカセットＩＤ情報に対応付けられた上で管理部２６に記憶される。図１４に示すように、「Ｘ１」の行には、図１３に示す第２の形態の場合と同一の結果が示されている。
【０１４２】
その後、現金精算装置１１（Ｘ１）に関して選択された現金出納装置２１（Ｙ２）の在高を暫定的に更新する（Ｓ２３０）。すなわち、現金出納装置２１（Ｙ２）の在高を、現状の在高である２００枚と、現金精算装置１１（Ｘ１）からの回収金である９０枚とを加算して得られる値である２９０枚へ更新する。図１４において、「Ｘ２」が表されている行のうち「判定時の在高」の行には、暫定的に更新された後の各現金出納装置２１（Ｙ１）〜（Ｙ３）における在高が示されている。
【０１４３】
次に、第２の店員が現金精算装置１１（Ｘ２）において回収処理の開始を選択すると、現金精算装置１１（Ｘ２）は、収納部１５０に収納された４０枚の現金全てを繰り出し、現金搬送カセット３０（Ｚ２）へ出金する（Ｓ２００）。その後、暫定的に更新された後の各現金出納装置２１（Ｙ１）〜（Ｙ３）における在高に基づいて、管理部２６の入金判定手段２６Ａによる判定と、管理部２６の選択手段２６Ｂによる選択が実施される。この結果、図１４に示すように、現金搬送カセット３０（Ｚ２）が受ける回収金が入金されるべき一の現金出納装置２１として現金出納装置２１（Ｙ１）が選択される（Ｓ２２６）。次に、選択の結果に関する情報が、現金精算装置１１（Ｘ２）の表示装置１９５に送信される（Ｓ２２８）。
【０１４４】
その後、現金精算装置１１（Ｘ２）に関して選択された現金出納装置２１（Ｙ１）の在高を暫定的に更新する（Ｓ２３０）。すなわち、現金出納装置２１（Ｙ１）の在高を、現状の在高である２５０枚と、現金精算装置１１（Ｘ２）からの回収金である４０枚とを加算して得られる値である２９０枚へ更新する。図１４において、「Ｘ３」が表されている行のうち「判定時の在高」の行には、暫定的に更新された後の各現金出納装置２１（Ｙ１）〜（Ｙ３）における在高が示されている。
【０１４５】
次に、第３の店員が現金精算装置１１（Ｘ３）において回収処理の開始を選択すると、現金精算装置１１（Ｘ３）は、収納部１５０に収納された１２０枚の現金全てを繰り出し、現金搬送カセット３０（Ｚ３）へ出金する（Ｓ２００）。その後、暫定的に更新された後の各現金出納装置２１（Ｙ１）〜（Ｙ３）における在高に基づいて、管理部２６の入金判定手段２６Ａによる判定と、管理部２６の選択手段２６Ｂによる選択が実施される。この結果、図１４に示すように、現金搬送カセット３０（Ｚ３）が受ける回収金が入金されるべき一の現金出納装置２１として現金出納装置２１（Ｙ３）が選択される（Ｓ２２６）。次に、選択の結果に関する情報が、現金精算装置１１（Ｘ３）の表示装置１９５に送信される（Ｓ２２８）。
【０１４６】
各現金精算装置１１（Ｘ１）〜１１（Ｘ３）の表示装置１９５は、管理部２６から送られた選択結果を表示する（Ｓ２３２）。これによって、第１〜第３の店員は、各現金搬送カセット３０（Ｚ１）〜３０（Ｚ３）が受ける回収金が入金されるべき現金出納装置２１に関する情報を得ることができる。
【０１４７】
その後、各店員は、各現金搬送カセット３０（Ｚ１）〜３０（Ｚ３）を現金精算装置１１（Ｘ１）〜１１（Ｘ３）から離脱させる（Ｓ２４０）。そして、各店員は、表示装置１９５によって示された現金出納装置２１へ現金搬送カセット３０（Ｚ１）〜３０（Ｚ３）を搬送する。各現金出納装置２１における入金に関する動作およびその後の現金管理装置２５における動作は、図１２に示す第２の形態におけるステップＳ２４５〜Ｓ２８５までの動作と同一であるため、詳細な説明を省略する。
【０１４８】
以上のように、本形態による現金処理システム１によれば、一の現金精算装置１１からの回収金が実際に現金出納装置２１に入金されるよりも前に、その他の現金精算装置１１に関する管理部２６の動作を、各現金出納装置２１における暫定的な在高を考慮しながら実施することができる。このため本形態によれば、複数の現金精算装置１１からの売上金の回収を平行して実施することができ、かつ、各店員は、現金精算装置１１からの回収金を迷うことなく最適な現金出納装置２１へ搬送することができる。これによって、売上金の回収に要する時間をさらに短くすることができる。
【０１４９】
第１乃至第３の動作の形態の変形例
なお上述の第１乃至第３の動作の形態において、各現金精算装置１１に収納されている現金全てが回収される例を示したが、これに限られることはない。例えば、各現金精算装置１１において、現金精算装置１１内に装填されるべき現金の量である所定装填量が予め定められており、各現金精算装置１１に対応する現金搬送カセット３０は、所定装填量の現金が各現金精算装置１１内に残されるよう各現金精算装置１１内の現金を受け、そして当該現金を適切な現金出納装置２１に渡してもよい。
【０１５０】
例えば、現金搬送カセット３０は、店舗の開店前に現金精算装置１１に装填されるべき釣銭準備金として必要な数量の現金が現金精算装置１１に残るよう、現金精算装置１１内に収容されている現金を回収してもよい。すなわち、現金精算装置１１内に収容されている現金の数量から釣銭準備金として必要な数量（例えば１５０枚）を引くことにより算出される余剰の現金の数量のみが、現金搬送カセット３０によって回収されてもよい。
【０１５１】
このように余剰の現金の数量のみが回収される場合であっても、本形態による現金管理システム１は効果を発揮することができる。なお、この場合の現金管理システム１の動作は、図１１、図１３または図１４に示される「回収量」が、各現金精算装置１１内に収納されている数量全てではなく余剰の数量となる点が異なるのみであり、その他の動作は同一である。従って、本変形例の動作に関する詳細な説明を省略する。
【０１５２】
第４の動作の形態
次に、各現金精算装置１１のうち現金精算装置１１（Ｘ１）に収納された売上金を店員が現金出納装置２１へ回収する際の動作のその他の形態について説明する。
【０１５３】
本形態においては、上述の第１乃至第３の動作の形態の変形例の場合と同様に、現金精算装置１１内に装填されるべき現金の量である所定装填量が予め定められている。また、本形態おいて、管理部２６の出金判定手段２６Ｃは、現金搬送カセット３０が現金精算装置１１に装着されている時、現金精算装置１１の所定装填量を満たす量の現金が現金出納装置２１から出金され得るかどうかを判定するよう構成されている。本形態において、他の構成は、上述の第１の形態と略同一となっている。従って、以下に説明する本形態において、上述の第１の形態と同一部分には同一符号を付して詳細な説明を省略する。
【０１５４】
本形態においては、現金精算装置１１（Ｘ１）には、９０枚の現金が収納されており、そして、９０枚の現金全てが現金搬送カセット３０(Ｚ１)によって回収されると仮定する。また、３台の現金出納装置２１（Ｙ１）〜２１（Ｙ３）にはそれぞれ１５０枚、２００枚、４０枚の現金が既に収納されていると仮定する。一方、本形態においては、現金精算装置１１（Ｘ１）に収納されている９０枚の現金が回収された後、例えば回収の翌日、店舗の開店前に、１５０枚の現金が釣銭準備金として現金精算装置１１（Ｘ１）に装填されている必要があると仮定する。
【０１５５】
［回収処理］
以下、図１５および図１６を参照して、本形態における回収処理について説明する。図１５は、本形態による現金管理システム１における回収処理の動作を示すフロー図である。
【０１５６】
まず、店員が現金精算装置１１（Ｘ１）、現金出納装置２１または現金管理装置２５において回収処理の開始を選択すると、現金精算装置１１（Ｘ１）は、収納部１５０に収納された９０枚の現金全てを繰り出し、現金搬送カセット３０（Ｚ１）へ出金する（Ｓ２００）。
【０１５７】
現金精算装置１１（Ｘ１）は、自己のＩＤ情報（＝Ｘ１）、回収される現金（以下、回収金という）を収容した現金搬送カセット３０（Ｚ１）のカセットＩＤ情報（＝Ｚ１）、回収金の金種情報および数量情報を関連付けて、バックオフィス２０の現金出納装置２１へ送信する（Ｓ２１０）。バックオフィス２０に設置された現金管理装置２５は、現金精算装置１１（Ｘ１）からの回収関連情報を受信し、この回収関連情報を記憶する（Ｓ２２０）。
【０１５８】
現金管理装置２５の管理部２６の入金判定手段２６Ａは、現金精算装置１１(Ｘ１)からの回収関連情報に基づいて、現金搬送カセット３０(Ｚ１)が受ける回収金が各現金出納装置２１（Ｙ１）〜２１（Ｙ３）に入金され得るかどうかをそれぞれ判定する（Ｓ２２２）。
【０１５９】
具体的には、入金判定手段２６Ａは、はじめに、現金出納装置２１（Ｙ１）に既に収納されている現金の数量１５０枚と、現金搬送カセット３０（Ｚ１）が受ける回収金の数量９０枚とを加算する。次に、算出された加算結果が現金出納装置２１の収容可能量を超えているかどうかを判定する。この場合、加算結果は２４０枚となっており、現金出納装置２１（Ｙ１）の収容可能量３００枚を下回っている。従って、現金出納装置２１（Ｙ１）に対する入金判定の結果は「ＯＫ」となる。
【０１６０】
同様にして、入金判定手段２６Ａは、現金出納装置２１（Ｙ２）および現金出納装置２１（Ｙ３）に対する入金判定を実施する。このようにして実施される入金判定の結果をまとめたものを図１６に示す。これら判定結果は、現金搬送カセット３０（Ｚ１）のカセットＩＤ情報に対応付けられた上で管理部２６に記憶される。
【０１６１】
次に、現金管理装置２５の管理部２６の出金判定手段２６Ｃは、現金精算装置１１(Ｘ１)からの回収関連情報に基づいて、現金精算装置１１(Ｘ１)の釣銭準備金として必要な数量の現金が、回収後に各現金出納装置２１から出金され得るかどうかをそれぞれ判定する（Ｓ２２４）。なお出金判定手段２６Ｃは、各現金出納装置２１（Ｙ１）〜（Ｙ３）のうち、入金判定手段２６Ａによって「ＯＫ」と判定された現金出納装置２１についてのみ、出金の可否に関する判定を実施すればよい。
【０１６２】
具体的には、出金判定手段２６Ｃは、はじめに、現金出納装置２１（Ｙ１）に既に収納されている現金の数量１５０枚と、現金搬送カセット３０（Ｚ１）が受ける回収金の数量９０枚とを加算する。次に、算出された加算結果が現金精算装置１１(Ｘ１)の釣銭準備金として必要な数量（１５０枚）を超えているかどうかを判定する。この場合、加算結果は２４０枚となっており、現金精算装置１１(Ｘ１)の釣銭準備金として必要な数量を超えている。従って、現金出納装置２１（Ｙ１）に対する出金判定の結果は「ＯＫ」となる。
【０１６３】
同様にして、出金判定手段２６Ｃは、現金出納装置２１（Ｙ２）および現金出納装置２１（Ｙ３）に対する出金判定を実施する。このようにして実施される出金判定の結果を、上述の図１６に併せて示す。なお図１６において、「判定時の在高」という行は、入金判定手段２６Ａおよび出金判定手段２６Ｃが判定を実施する際に各現金出納装置２１（Ｙ１）〜２１（Ｙ３）に既に収納されている現金の数量を表している。
【０１６４】
次に、管理部２６の入金判定手段２６Ａおよび出金判定手段２６Ｃによって実施された判定の結果に関する情報が、表示装置１９５に送信される（Ｓ２２８）。この情報は、図１５に示すように各現金出納装置２１にも送信されてもよい。このとき、回収関連情報が同時に各現金出納装置２１に送信されてもよい。
【０１６５】
表示装置１９５は、管理部２６から送られた判定結果を表示する（Ｓ２３２）。例えば、各現金出納装置２１（Ｙ１）〜２１（Ｙ３）における入金および出金に関する「ＯＫ」または「ＮＧ」という判定結果が表示される。これによって、店員は、現金搬送カセット３０（Ｚ１）が受ける回収金を入金することができ、かつ、現金精算装置１１(Ｘ１)の釣銭準備金として必要な数量の現金を出金することができる現金出納装置２１に関する情報を得ることができる。
【０１６６】
次に、店員は、現金搬送カセット３０（Ｚ１）を現金精算装置１１（Ｘ１）から離脱させる（Ｓ２４０）。そして、店員は、現金出納装置２１へ現金搬送カセット３０（Ｚ１）を搬送する。ここで上述のように、店員は、現金搬送カセット３０（Ｚ１）が受ける回収金を入金することができ、かつ、現金精算装置１１(Ｘ１)の釣銭準備金として必要な数量の現金を出金することができる現金出納装置２１に関する情報を得ている。このため、店員は、迷うことなく現金出納装置２１（Ｙ１），２１（Ｙ２）のいずれかへ現金搬送カセット３０（Ｚ１）を搬送すればよい。
【０１６７】
現金出納装置２１における入金に関する動作およびその後の現金管理装置２５における動作は、図１０に示す第１の形態におけるステップＳ２４５〜Ｓ２８５までの動作と同一であるため、詳細な説明を省略する。
【０１６８】
［装填処理］
次に、店舗の開店前に、釣銭準備金を現金精算装置１１（Ｘ１）に装填するための動作について説明する。本形態では、店員が現金搬送カセット３０（Ｚ１）を用いて釣銭準備金を現金出納装置２１（Ｙ１），２１（Ｙ２）のいずれかから現金精算装置１１（Ｘ１）へ搬送する例について説明する。
【０１６９】
まず、店員は、現金出納装置２１または現金管理装置２５において装填処理の開始を選択し、現金の入っていない現金搬送カセット３０（Ｚ１）を現金出納装置２１へ装着する。現金搬送カセット３０が装着されると、現金出納装置２１のリード部２５７は、現金搬送カセット３０（Ｚ１）の記憶部３５に記憶されている情報（カセットＩＤ）を読み取る。読み取られたカセットＩＤ情報は、現金搬送カセット３０（Ｚ１）が装着された現金出納装置２１のＩＤ情報とともに現金管理装置２５に送信される。
【０１７０】
現金管理装置２５は、回収時に管理部２６の入金判定手段２６Ａおよび出金判定手段２６Ｃによって実施された判定の結果と、現金出納装置２１によって読み取られたカセットＩＤ情報とを照合する。具体的には、現金搬送カセット３０（Ｚ１）が装着された現金出納装置２１のＩＤ情報が、回収時に入金判定手段２６Ａおよび出金判定手段２６Ｃによる判定結果において「ＯＫ」と判定された現金出納装置２１に対応しているかどうかを照合する。これによって、現金搬送カセット３０（Ｚ１）が、判定結果において「ＯＫ」と判定された現金出納装置２１（Ｙ１），２１（Ｙ２）のいずれかに適切に装着されているかどうかが判断される。
【０１７１】
現金管理装置２５は、現金搬送カセット３０の装着通知を受信すると、現金の装填を必要とする現金精算装置１１のＩＤ情報（＝Ｘ１）、並びに、装填される金種情報および数量情報（＝１５０枚）を現金出納装置２１へ送信する。現金出納装置２１は、釣銭準備金を装填すべき現金精算装置１１（Ｘ１）に装填する現金を、収納部２５０から現金搬送カセット３０（Ｚ１）へ出金する。
【０１７２】
次に、現金出納装置２１は、操作表示部２９５に、釣銭準備金を装填すべき現金精算装置１１（Ｘ１）のＩＤ情報を表示する。これにより、店員は、釣銭準備金を装填すべき現金精算装置１１を特定することができる。次に、店員は、現金搬送カセット３０（Ｚ１）を現金出納装置２１から離脱させる。そして、店員は、釣銭準備金を装填するために現金精算装置１１（Ｘ１）へ現金搬送カセット３０を搬送する。
【０１７３】
店員が現金搬送カセット３０（Ｚ１）を現金精算装置１１に装着すると、現金精算装置１１のリード部１５７は、現金搬送カセット３０（Ｚ１）の記憶部３５に記憶されている情報（カセットＩＤ情報）を読み取る。読み取られたカセットＩＤ情報は、現金搬送カセット３０（Ｚ１）が装着された現金精算装置１１のＩＤ情報とともに現金管理装置２５に送信される。
【０１７４】
現金管理装置２５は、現金搬送カセット３０（Ｚ１）が装着された現金精算装置１１のＩＤ情報と、当該現金精算装置１１によって読み取られたカセットＩＤ情報とを照合する。これによって、現金搬送カセット３０（Ｚ１）が現金精算装置１１（Ｘ１）に適切に装着されているかどうかが判断される。
【０１７５】
現金搬送カセット３０（Ｚ１）が現金精算装置１１（Ｘ１）に適切に装着されていると判断された場合、現金精算装置１１（Ｘ１）は、現金搬送カセット３０（Ｚ１）から現金を入金し、その現金を収納部１５０へ収納する。これによって、必要量の釣銭が現金精算装置１１（Ｘ１）に準備される。
【０１７６】
以上のように、本形態による現金処理システム１の管理部２６は、現金搬送カセット３０が現金精算装置１１に装着されている時、現金精算装置１１の所定装填量を満たす量の現金が現金出納装置２１から出金され得るかどうかを判定する出金判定手段２６Ｃをさらに有している。このため、店員は、特定の現金精算装置１１から現金搬送カセット３０が受ける回収金を入金することができ、かつ、当該現金精算装置１１の釣銭準備金として必要な数量の現金を出金することができる現金出納装置２１に関する情報を得ることができる。これによって、店員は、特定の現金精算装置１１からの回収金を迷うことなく適切な現金出納装置２１へ搬送することができる。これによって、売上金の回収に要する時間を短くすることができ、かつ、現金精算装置１１の釣銭準備金を確実に準備することができる。
【０１７７】
第５の動作の形態
次に、各現金精算装置１１のうち現金精算装置１１（Ｘ１）に収納された売上金を店員が現金出納装置２１へ回収する際の動作のその他の形態について説明する。
【０１７８】
本形態において、管理部２６の選択手段２６Ｂは、現金搬送カセット３０が現金精算装置１１に装着されている時、入金判定手段２６Ａおよび出金判定手段２６Ｃからの情報に基づいて、現金搬送カセット３０が受ける現金精算装置１１内の現金が入金されるべき一の現金出納装置２１を選択するよう構成されている。本形態において、他の構成は、上述の第４の形態と略同一となっている。従って、以下に説明する本形態において、上述の第４の形態と同一部分には同一符号を付して詳細な説明を省略する。
【０１７９】
本形態においても、上述の第４の形態の場合と同様に、現金精算装置１１（Ｘ１）には、９０枚の現金が収納されており、そして、９０枚の現金全てが現金搬送カセット３０(Ｚ１)によって回収されると仮定する。また、３台の現金出納装置２１（Ｙ１）〜２１（Ｙ３）にはそれぞれ１５０枚、２００枚、４０枚の現金が既に収納されていると仮定する。また、現金精算装置１１（Ｘ１）に収納されている９０枚の現金が回収された後、例えば回収の翌日、店舗の開店前に、１５０枚の現金が釣銭準備金として現金精算装置１１（Ｘ１）に装填されている必要があると仮定する。
【０１８０】
［回収処理］
以下、図１７および図１８を参照して、本形態における回収処理について説明する。図１７は、本形態による現金管理システム１における回収処理の動作を示すフロー図である。
【０１８１】
まず、店員が現金精算装置１１（Ｘ１）、現金出納装置２１または現金管理装置２５において回収処理の開始を選択すると、現金精算装置１１（Ｘ１）は、収納部１５０に収納された９０枚の現金全てを繰り出し、現金搬送カセット３０（Ｚ１）へ出金する（Ｓ２００）。以下、図１７に示すステップＳ２００〜Ｓ２２２までの動作は、図１５に示す第４の形態におけるステップＳ２００〜Ｓ２２４までの動作と同一であるため、詳細な説明を省略する。
【０１８２】
管理部２６の入金判定手段２６Ａおよび出金判定手段２６Ｃにより実施される判定の結果をまとめたものを図１８に示す。これら判定結果は、現金搬送カセット３０（Ｚ１）のカセットＩＤ情報に対応付けられた上で管理部２６に記憶される。なお本形態においては、入金判定手段２６Ａによる判定の際、「ＯＫ」と判定された現金出納装置２１に現金精算装置１１（Ｘ１）からの回収金が入金されるとした場合の、入金後の各現金出納装置２１における仮想的な在高が同時に算出されてもよい。図１８においては、算出された仮想的な在高が括弧内に示されている。
【０１８３】
次に、管理部２６の選択手段２６Ｂは、入金判定手段２６Ａおよび出金判定手段２６Ｃからの情報に基づいて、現金搬送カセット３０（Ｚ１）が受ける回収金が入金されるべき一の現金出納装置２１を選択する（Ｓ２２６）。この際の選択基準としては様々な基準が考えられるが、例えば一例として、入金判定手段２６Ａおよび出金判定手段２６Ｃにより「ＯＫ」と判定された現金出納装置２１のうち、仮想的な在高と収容可能量との差が最も小さい現金出納装置２１を選択する、という選択基準が考えられる。
【０１８４】
ここで、現金出納装置２１（Ｙ１）における仮想的な在高は２４０枚であり、従って、仮想的な在高と収容可能量との差は６０枚となっている。また、現金出納装置２１（Ｙ２）における仮想的な在高は２９０枚であり、従って、仮想的な在高と収容可能量との差は１０枚となっている。また、現金出納装置２１（Ｙ３）における仮想的な在高は１３０枚であり、従って、仮想的な在高と収容可能量との差は１７０枚となっている。従って、選択手段２６Ｂは、現金搬送カセット３０（Ｚ１）が受ける回収金が入金されるべき一の現金出納装置２１として現金出納装置２１（Ｙ２）を選択する（図１８参照）。
【０１８５】
次に、管理部２６の選択手段２６Ｂによって実施された選択の結果に関する情報が、表示装置１９５に送信される（Ｓ２２８）。この情報は、図１７に示すように各現金出納装置２１にも送信されてもよい。このとき、回収関連情報が同時に各現金出納装置２１に送信されてもよい。
【０１８６】
また、選択手段２６Ｂにより現金出納装置２１（Ｙ２）が選択された後、現金管理装置２５は、選択された現金出納装置２１（Ｙ２）の在高を暫定的に更新してもよい（Ｓ２３０）。すなわち、現金出納装置２１（Ｙ２）の在高を、現状の在高である２００枚と、現金精算装置１１（Ｘ１）からの回収金である９０枚とを加算して得られる値である２９０枚へ更新してもよい。これによって、現金精算装置１１（Ｘ１）からの回収金が実際に現金出納装置２１（Ｙ２）に入金されるよりも前に、入金判定手段２６Ａおよび出金判定手段２６Ｃがその他の現金精算装置１１に関する入金可否および出金可否の判定を実施する場合に、入金判定手段２６Ａおよび出金判定手段２６Ｃが適切な判定を実施することが可能となる。
【０１８７】
表示装置１９５は、管理部２６から送られた選択結果を表示する（Ｓ２３２）。例えば、現金搬送カセット３０（Ｚ１）に収納される回収金を現金出納装置２１（Ｙ２）に搬送する、という選択結果がされる。これによって、店員は、現金搬送カセット３０（Ｚ１）が受ける回収金が入金されるべき現金出納装置２１に関する情報を得ることができる。
【０１８８】
次に、店員は、現金搬送カセット３０（Ｚ１）を現金精算装置１１（Ｘ１）から離脱させる（Ｓ２４０）。そして、店員は、現金出納装置２１（Ｙ２）へ現金搬送カセット３０（Ｚ１）を搬送する。各現金出納装置２１における入金に関する動作およびその後の現金管理装置２５における動作は、図１２に示す第２の形態におけるステップＳ２４５〜Ｓ２８５までの動作と同一であるため、詳細な説明を省略する。
【０１８９】
［装填処理］
上述の回収処理の後、店舗の開店前において、店員は、現金搬送カセット３０（Ｚ１）を用いて、釣銭準備金を現金出納装置２１（Ｙ２）から現金精算装置１１（Ｘ１）へ搬送する。装填処理における具体的な動作は、上述の第４の形態における装填処理の動作と略同一であるので、詳細な説明を省略する。
【０１９０】
以上のように、本形態による現金処理システム１の管理部２６は、現金搬送カセット３０が現金精算装置１１に装着されている時、入金判定手段２６Ａおよび出金判定手段２６Ｃからの情報に基づいて、現金搬送カセット３０が受ける現金精算装置１１内の現金が入金されるべき一の現金出納装置２１を選択する選択手段２６Ｂをさらに有している。このため、店員は、特定の現金精算装置１１からの回収金を迷うことなく最適な現金出納装置２１へ搬送することができる。これによって、売上金の回収に要する時間をさらに短くすることができる。
【０１９１】
なお本形態において、選択手段２６Ｂが、仮想的な在高と収容可能量との差が最も小さい現金出納装置２１を選択する例を示した。しかしながら、選択手段２６Ｂにおける具体的な選択基準が特に限られることはない。例えば、選択手段２６Ｂは、仮想的な在高と収容可能量との差が最も大きい現金出納装置２１を選択してもよい。若しくは、選択手段２６Ｂは、仮想的な在高と収容可能量との差が、予め定められた値に最も近くなっている現金出納装置２１を選択してもよい。
【０１９２】
第６の動作の形態
次に、各現金精算装置１１のうち現金精算装置１１（Ｘ１）〜１１（Ｘ３）に収納された売上金を店員が現金出納装置２１へ回収する際の動作の形態について説明する。
【０１９３】
本形態においては、現金精算装置１１（Ｘ１）に関する管理部２６の動作の後、現金精算装置１１（Ｘ１）からの回収金が実際に現金出納装置２１に入金されるよりも前に、現金精算装置１１（Ｘ２）および現金精算装置１１（Ｘ３）に関する管理部２６の動作が実施される場合について説明する。以下に説明する本形態において、上述の第４の形態および第５の形態と同一部分には同一符号を付して詳細な説明を省略する。
【０１９４】
現金精算装置１１（Ｘ１）〜（Ｘ３）には、それぞれ９０枚，４０枚，１２０枚の現金が収納されており、そして、収納されている現金全てが、対応する現金搬送カセット３０(Ｚ１) 〜（Ｚ３）によって回収されると仮定する。また、３台の現金出納装置２１（Ｙ１）〜２１（Ｙ３）にはそれぞれ１５０枚、２００枚、４０枚の現金が既に収納されていると仮定する。また、各現金精算装置１１（Ｘ１）〜（Ｘ３）に収納されている現金全てが回収された後、例えば回収の翌日、店舗の開店前に、１５０枚の現金が釣銭準備金として各現金精算装置１１（Ｘ１）〜（Ｘ３）に装填されている必要があると仮定する。
【０１９５】
［回収処理］
以下、図１９を参照して、本形態における回収処理について説明する。なお個々の現金精算装置１１に対する現金管理装置２５の動作は、図１７に示す第５の形態の場合と略同一であるので、本形態においても、図１７に示されるフロー図が適宜参照される。
【０１９６】
まず、第１の店員が現金精算装置１１（Ｘ１）において回収処理の開始を選択すると、現金精算装置１１（Ｘ１）は、収納部１５０に収納された９０枚の現金全てを繰り出し、現金搬送カセット３０（Ｚ１）へ出金する（Ｓ２００）。その後、上述の第５の実施の形態の場合と同様に、現金搬送カセット３０（Ｚ１）が受ける回収金が入金されるべき一の現金出納装置２１として現金出納装置２１（Ｙ２）が選択される（Ｓ２２６）。次に、選択の結果に関する情報が、現金精算装置１１（Ｘ１）の表示装置１９５に送信される（Ｓ２２８）。
【０１９７】
図１９は、本形態において実施される入金判定手段２６Ａ，出金判定手段２６Ｃによる判定結果および選択手段２６Ｂによる選択結果をまとめて示している。これら判定結果および選択手段は、現金搬送カセット３０（Ｚ１）のカセットＩＤ情報に対応付けられた上で管理部２６に記憶される。図１９に示すように、「Ｘ１」の行には、図１８に示す第５の形態の場合と同一の結果が示されている。
【０１９８】
その後、現金精算装置１１（Ｘ１）に関して選択された現金出納装置２１（Ｙ２）の在高を暫定的に更新する（Ｓ２３０）。すなわち、現金出納装置２１（Ｙ２）の在高を、現状の在高である２００枚と、現金精算装置１１（Ｘ１）からの回収金である９０枚とを加算して得られる値である２９０枚へ更新する。図１９において、「Ｘ２」が表されている行のうち「判定時の在高」の行には、暫定的に更新された後の各現金出納装置２１（Ｙ１）〜（Ｙ３）における在高が示されている。
【０１９９】
次に、第２の店員が現金精算装置１１（Ｘ２）において回収処理の開始を選択すると、現金精算装置１１（Ｘ２）は、収納部１５０に収納された４０枚の現金全てを繰り出し、現金搬送カセット３０（Ｚ２）へ出金する（Ｓ２００）。その後、暫定的に更新された後の各現金出納装置２１（Ｙ１）〜（Ｙ３）における在高に基づいて、管理部２６の入金判定手段２６Ａ，出金判定手段２６Ｃによる判定と、管理部２６の選択手段２６Ｂによる選択が実施される。この結果、図１９に示すように、現金搬送カセット３０（Ｚ２）が受ける回収金が入金されるべき一の現金出納装置２１として現金出納装置２１（Ｙ１）が選択される（Ｓ２２６）。次に、選択の結果に関する情報が、現金精算装置１１（Ｘ２）の表示装置１９５に送信される（Ｓ２２８）。
【０２００】
その後、現金精算装置１１（Ｘ２）に関して選択された現金出納装置２１（Ｙ１）の在高を暫定的に更新する（Ｓ２３０）。すなわち、現金出納装置２１（Ｙ１）の在高を、現状の在高である１５０枚と、現金精算装置１１（Ｘ２）からの回収金である４０枚とを加算して得られる値である１９０枚へ更新する。図１９において、「Ｘ３」が表されている行のうち「判定時の在高」の行には、暫定的に更新された後の各現金出納装置２１（Ｙ１）〜（Ｙ３）における在高が示されている。
【０２０１】
次に、第３の店員が現金精算装置１１（Ｘ３）において回収処理の開始を選択すると、現金精算装置１１（Ｘ３）は、収納部１５０に収納された１２０枚の現金全てを繰り出し、現金搬送カセット３０（Ｚ３）へ出金する（Ｓ２００）。その後、暫定的に更新された後の各現金出納装置２１（Ｙ１）〜（Ｙ３）における在高に基づいて、管理部２６の入金判定手段２６Ａ，出金判定手段２６Ｃによる判定と、管理部２６の選択手段２６Ｂによる選択が実施される。この結果、図１９に示すように、現金搬送カセット３０（Ｚ３）が受ける回収金が入金されるべき一の現金出納装置２１として現金出納装置２１（Ｙ３）が選択される（Ｓ２２６）。次に、選択の結果に関する情報が、現金精算装置１１（Ｘ３）の表示装置１９５に送信される（Ｓ２２８）。
【０２０２】
各現金精算装置１１（Ｘ１）〜１１（Ｘ３）の表示装置１９５は、管理部２６から送られた選択結果を表示する（Ｓ２３２）。これによって、第１〜第３の店員は、各現金搬送カセット３０（Ｚ１）〜３０（Ｚ３）が受ける回収金が入金されるべき現金出納装置２１に関する情報を得ることができる。
【０２０３】
その後、各店員は、各現金搬送カセット３０（Ｚ１）〜３０（Ｚ３）を現金精算装置１１（Ｘ１）〜１１（Ｘ３）から離脱させる（Ｓ２４０）。そして、各店員は、表示装置１９５によって示された現金出納装置２１へ現金搬送カセット３０（Ｚ１）〜３０（Ｚ３）を搬送する。各現金出納装置２１における入金に関する動作およびその後の現金管理装置２５における動作は、図１２に示す第２の形態におけるステップＳ２４５〜Ｓ２８５までの動作と同一であるため、詳細な説明を省略する。
【０２０４】
［装填処理］
上述の回収処理の後、店舗の開店前において、現金搬送カセット３０（Ｚ１）を用いることにより、釣銭準備金が現金出納装置２１（Ｙ２）から現金精算装置１１（Ｘ１）へ搬送される。また、現金搬送カセット３０（Ｚ２）を用いることにより、釣銭準備金が現金出納装置２１（Ｙ１）から現金精算装置１１（Ｘ２）へ搬送される。また、現金搬送カセット３０（Ｚ３）を用いることにより、釣銭準備金が現金出納装置２１（Ｙ３）から現金精算装置１１（Ｘ３）へ搬送される。装填処理における具体的な動作は、上述の第４の形態における装填処理の動作と略同一であるので、詳細な説明を省略する。
【０２０５】
以上のように、本形態による現金処理システム１によれば、一の現金精算装置１１からの回収金が実際に現金出納装置２１に入金されるよりも前に、その他の現金精算装置１１に関する管理部２６の動作を、各現金出納装置２１における暫定的な在高を考慮しながら実施することができる。このため本形態によれば、複数の現金精算装置１１からの売上金の回収を平行して実施することができ、かつ、各店員は、現金精算装置１１からの回収金を迷うことなく最適な現金出納装置２１へ搬送することができる。これによって、売上金の回収に要する時間をさらに短くすることができる。
【０２０６】
なお上述の第４乃至第６の動作の形態において、回収の翌日に釣銭準備金が現金精算装置１１に装填される例を示した。しかしながら、これに限られることはなく、回収の直後に釣銭準備金を現金精算装置１１に装填してもよい。
【０２０７】
変形例
なお上述の各動作の形態において、Ｚｋ（ｋ＝１〜３０の整数）というカセットＩＤ情報を有する現金搬送カセット３０が、現金精算装置１１（Ｘｋ）に対応付けられている例を示した。すなわち、Ｚｋ（ｋ＝１〜３０の整数）というカセットＩＤ情報を有する現金搬送カセット３０が、現金精算装置１１（Ｘｋ）で専ら使用される例を示した。しかしながら、これに限られることはなく、現金搬送カセット３０が特定の現金精算装置１１に対応付けられていなくてもよい。すなわち、現金搬送カセット３０が、各現金精算装置１１のいずれにおいても使用可能となっていてもよい。このような変形例について説明する。
【０２０８】
はじめに回収処理が実施される場合について説明する。まず、どの現金精算装置１１にも対応付けられていない現金搬送カセット３０（以下、現金搬送カセット３０（Ｆ）と称する）を特定の現金精算装置１１、例えば現金精算装置１１（Ｘ４）に装着する。現金精算装置１１（Ｘ４）は、現金精算装置１１（Ｘ４）に現金搬送カセット３０が装着されたという情報を、自己のＩＤ情報（＝Ｘ４）、回収金の金種情報および数量情報とともに現金管理装置２５に送信する。また現金精算装置１１（Ｘ４）のライト部１５８は、現金搬送カセット３０（Ｆ）が現金精算装置１１（Ｘ４）に装着された旨の情報を、現金搬送カセット３０（Ｆ）の記憶部３５に書き込む。
【０２０９】
現金管理装置２５は、上述の各動作の形態の場合と同様にして、現金精算装置１１（Ｘ４）からの回収金を入金する上で適切な、または最適な現金出納装置２１に関する情報を表示装置１９５に送信する。店員は、表示装置１９５の表示に基づいて、現金精算装置１１（Ｘ４）からの回収金を、現金搬送カセット３０（Ｆ）を用いて、特定の現金出納装置２１、例えば現金出納装置２１（Ｙ２）に搬送する。
【０２１０】
店員は、現金搬送カセット３０（Ｆ）を現金出納装置２１（Ｙ２）に装着する。現金出納装置２１（Ｙ２）のリード部２５７は、現金搬送カセット３０（Ｆ）の記憶部３５から、現金搬送カセット３０（Ｆ）が現金精算装置１１（Ｘ４）に装着されていたという旨の情報を読み出す。また現金出納装置２１（Ｙ２）は、現金搬送カセット３０（Ｆ）の記憶部３５からの情報を、自己のＩＤ情報（＝Ｙ２）とともに現金管理装置２５に送信する。
【０２１１】
現金管理装置２５の照合部２７は、現金精算装置１１（Ｘ４）に関して現金管理装置２５によって実施された判定または選択の結果と、現金出納装置２１（Ｙ２）から送られた情報とを照合する。具体的には、現金出納装置２１（Ｙ２）に装着された現金搬送カセット３０が、現金精算装置１１（Ｘ４）に装着されていた現金搬送カセット３０（Ｆ）であるかどうかを照合する。これによって、現金搬送カセット３０（Ｆ）が適切な現金出納装置２１へ搬送されたことを確認することができる。
【０２１２】
次に、上述の第４乃至第６の形態の場合のように装填処理が実施される場合について説明する。まず、どの現金精算装置１１にも対応付けられていない現金搬送カセット３０（Ｆ）を特定の現金出納装置２１、例えば現金出納装置２１（Ｙ２）に装着する。現金出納装置２１（Ｙ２）は、現金出納装置２１（Ｙ２）に現金搬送カセット３０が装着されたという情報を、自己のＩＤ情報（＝Ｙ２）とともに現金管理装置２５に送信する。
【０２１３】
現金管理装置２５は、前回の回収処理の際、現金出納装置２１（Ｙ２）が、どの現金精算装置１１に対する出金判定において「ＯＫ」と判定されていたか、若しくは、どの現金精算装置１１に対して選択されていたかに関する情報を検索する。この結果、前回の回収処理の際、現金出納装置２１（Ｙ２）が、現金精算装置１１（Ｘ４）に対して選択されていたことが判明する。次に、現金管理装置２５は、現金の装填を必要とする現金精算装置１１のＩＤ情報（＝Ｘ４）、並びに、装填される金種情報および数量情報（＝１５０枚）を現金出納装置２１（Ｙ２）へ送信する。現金出納装置２１は、釣銭準備金を装填すべき現金精算装置１１（Ｘ４）に装填する現金を、収納部２５０から現金搬送カセット３０（Ｆ）へ出金する。また現金出納装置２１（Ｙ２）のライト部２５８は、現金搬送カセット３０（Ｆ）が現金出納装置２１（Ｙ２）に装着された旨の情報を、現金搬送カセット３０（Ｆ）の記憶部３５に書き込む。
【０２１４】
次に、現金出納装置２１（Ｙ２）は、操作表示部２９５に、釣銭準備金を装填すべき現金精算装置１１（Ｘ４）のＩＤ情報を表示する。これにより、店員は、釣銭準備金を装填すべき現金精算装置１１を特定することができる。次に、店員は、現金搬送カセット３０（Ｆ）を現金出納装置２１（Ｙ２）から離脱させる。そして、店員は、釣銭準備金を装填するために現金精算装置１１（Ｘ４）へ現金搬送カセット３０（Ｆ）を搬送する。
【０２１５】
店員が現金搬送カセット３０（Ｆ）を現金精算装置１１に装着すると、現金精算装置１１のリード部１５７は、現金搬送カセット３０（Ｆ）の記憶部３５に記憶されている情報、すなわち、現金搬送カセット３０（Ｆ）が現金出納装置２１（Ｙ２）に装着されていた旨の情報を読み取る。読み取られた情報は、現金搬送カセット３０（Ｆ）が装着された現金精算装置１１のＩＤ情報とともに現金管理装置２５に送信される。
【０２１６】
現金管理装置２５は、現金搬送カセット３０（Ｆ）が装着された現金精算装置１１のＩＤ情報と、当該現金精算装置１１によって読み取られた現金搬送カセット３０（Ｆ）の記憶部３５からの情報とを照合する。これによって、現金出納装置２１（Ｙ２）から出金された現金を収納している現金搬送カセット３０（Ｆ）が現金精算装置１１（Ｘ４）に適切に装着されているかどうかが判断される。
【０２１７】
現金搬送カセット３０（Ｆ）が現金精算装置１１（Ｘ４）に適切に装着されていると判断された場合、現金精算装置１１（Ｘ４）は、現金搬送カセット３０（Ｆ）から現金を入金し、その現金を収納部１５０へ収納する。これによって、必要量の釣銭が現金精算装置１１（Ｘ４）に準備される。
【０２１８】
このように本変形例によれば、現金搬送カセット３０が特定の現金精算装置１１に対応付けられていない場合であっても、管理部２６によってもたらされる効果により、現金精算装置１１と現金出納装置２１との間での現金の搬送を適切に行うことができる。
【０２１９】
また、本変形例のように現金搬送カセット３０が特定の現金精算装置１１に対応付けられていない場合、現金精算装置１１の数と現金搬送カセット３０の数とは必ずしも同一となっていなくてもよい。従って、本変形例によれば、必要とされる現金搬送カセット３０の数量を少なくすることができ、これによって、現金精算装置１１と現金出納装置２１との間での現金の搬送に要するコストを削減することができる。
【０２２０】
その他の変形例
また上述の各動作の形態において、説明の便宜上、１つの金種の数量のみに基づいて、管理部２６が、現金精算装置１１からの回収金が入金される現金出納装置２１に関する判定または選択を実施する例を示した。しかしながら、これに限られることはなく、複数の金種の数量をそれぞれ考慮した上で、管理部２６が上述の判定または選択を実施してもよい。
【０２２１】
また上述の各動作の形態において、現金精算装置１１の売上金が現金搬送カセット３０によって一度に回収される例を示した。しかしながら、これに限られることはなく、現金精算装置１１の売上金を、複数回に分けて現金搬送カセット３０によって回収してもよい。この場合、各回の回収数量に基づいて、管理部２６による上述の判定または選択がその都度実施されてもよい。
【０２２２】
また上述の各動作の形態において、現金搬送カセット３０が現金精算装置１１から受ける現金の数量と、現金出納装置２１に既に収納されている現金の数量とに基づいて、管理部２６による上述の判定または選択が実施される例を示した。しかしながら、これに限られることはなく、その他の条件に基づいて管理部２６が上述の判定または選択を実施してもよい。例えば、特定の現金出納装置２１に収納されている現金の数量が所定値を下回った際、当該現金出納装置２１が自身への入金を求めるアラーム信号を管理部２６に対して送信するよう、現金出納装置２１が構成されていてもよい。そして、このアラーム信号を考慮して、管理部２６が上述の判定または選択を実施してもよい。例えば、現金精算装置１１からの回収金が、アラーム信号を送信した現金出納装置２１に優先的に入金されるよう、管理部２６が上述の判定または選択を実施してもよい。
【０２２３】
また上述の実施の形態および各動作の形態において、管理部２６からの情報を表示する表示装置１９５が、現金出納装置２１の紙幣出納装置２２に取り付けられている例を示した。しかしながら、店員が確認することができる場所に設けられている限りにおいて、表示装置１９５の設置場所が特に限定されることはない。
【０２２４】
また上述の実施の形態および各動作の形態において、管理部２６からの情報が店員に対して表示装置１９５を介して視覚的に伝えられる例を示した。しかしながら、これに限られることはなく、管理部２６からの情報が店員に対してその他の態様で伝えられてもよい。例えば、管理部２６からの情報が音声によって店員に伝えられてもよい。すなわち、上述の実施の形態および各動作の形態において、管理部２６からの情報を案内する案内装置は、音声案内装置など聴覚を通じて情報を伝えるものであってもよい。また、管理部２６からの情報を案内するための表示装置１９５などの案内装置が設置される場所が特に限られることはなく、店員に対して管理部２６からの情報を案内することができる限りにおいて、案内装置は様々な場所に設置され得る。
【０２２５】
また上述の実施の形態および各動作の形態において、管理部２６が、現金精算装置１１および現金出納装置２１とは別個に設けられた現金管理装置２５内に実装される例を示した。しかしながら、管理部２６が現金精算装置１１および現金出納装置２１に通信可能に接続される限りにおいて、管理部２６の具体的な実装形態が特に限られることはない。例えば、管理部２６が現金精算装置１１の筐体内に実装されていてもよく、若しくは、管理部２６が現金出納装置２１の筐体内に実装されていてもよい。
【０２２６】
また上述の各動作の形態において、現金精算装置１１のＩＤ情報、回収金を収容した現金搬送カセット３０（Ｚ１）のカセットＩＤ情報、回収金の金種情報および数量情報などに関する回収関連情報が、現金出納装置２１のリード部２５７によって現金搬送カセット３０の記憶部３５から読み取られる例を示した。しかしながら、現金出納装置２１が回収関連情報を得る方法がこれに限られることはなく、管理部２６が回収関連情報を現金出納装置２１に送信することにより、現金出納装置２１が回収関連情報を得てもよい（例えば上述のＳ２２８参照）。
【０２２７】
照合部の動作の変形例
また上述の各動作の形態において、照合部２７が、現金搬送カセット３０が装着された現金出納装置２１のＩＤ情報を基準として、現金搬送カセット３０が適切な現金出納装置２１に装着されているかどうかを判断する例を示した。しかしながら、これに限られることはなく、照合部２７は、現金搬送カセット３０のカセットＩＤ情報を基準として、現金搬送カセット３０が適切な現金出納装置２１に装着されているかどうかを判断してもよい。特に照合部２７が各現金出納装置２１に設けられている場合、照合部２７による判断が、現金搬送カセット３０のカセットＩＤ情報を基準として実施されることが好ましい。
【０２２８】
例えば上述の第１の動作の形態の変形例として、照合部２７が各現金出納装置２１に設けられており、また照合部２７が、現金搬送カセット３０のカセットＩＤ情報を基準として判断する場合について説明する。この場合、管理部２６は、現金搬送カセット３０（Ｚ１）からの現金が入金され得ると入金判定手段２６Ａによって判定された現金出納装置２１（Ｙ２）の照合部２７に対して、現金搬送カセット３０（Ｚ１）のカセットＩＤ情報を送信する。その後、照合部２７は、現金出納装置２１（Ｙ２）に所定の現金搬送カセット３０が装着されている時、現金出納装置２１（Ｙ２）のリード部２５７により読み出された前記所定の現金搬送カセット３０のカセットＩＤ情報と、管理部２６から送信される現金搬送カセット３０（Ｚ１）カセットＩＤ情報とを照合する。これによって、現金出納装置２１（Ｙ２）に装着された前記所定の現金搬送カセット３０が、入金判定手段２６Ａによる判定結果に合致するものであるかどうかが判断される。
【０２２９】
また上述の第２の動作の形態の変形例として、照合部２７が各現金出納装置２１に設けられており、また照合部２７が、現金搬送カセット３０のカセットＩＤ情報を基準として判断する場合について説明する。この場合、管理部２６は、選択手段２６Ｂによって選択された現金出納装置２１（Ｙ２）の照合部２７に対して、現金搬送カセット３０（Ｚ１）のカセットＩＤ情報を送信する。その後、照合部２７は、現金出納装置２１（Ｙ２）に所定の現金搬送カセット３０が装着されている時、現金出納装置２１（Ｙ２）のリード部２５７により読み出された前記所定の現金搬送カセット３０のカセットＩＤ情報と、管理部２６から送信される現金搬送カセット３０（Ｚ１）カセットＩＤ情報とを照合する。これによって、現金出納装置２１（Ｙ２）に装着された前記所定の現金搬送カセット３０が、選択手段２６Ｂによる選択結果に合致するものであるかどうかが判断される。
【０２３０】
上述の第３乃至第６の動作の形態において、これら第１の動作の形態の変形例および第２の動作の形態の変形例の場合と同様に、照合部２７は、現金搬送カセット３０のカセットＩＤ情報を基準として、現金搬送カセット３０が適切な現金出納装置２１に装着されているかどうかを判断してもよい。
【符号の説明】
【０２３１】
１・・・現金管理システム、１０・・・チェックアウトカウンター、２０・・・バックオフィス、１１・・・現金精算装置、２１・・・現金出納装置、２５・・・現金管理装置、２６・・・管理部、２６Ａ・・・入金判定手段、２６Ｂ・・・選択手段、２６Ｃ・・・出金判定手段、２７・・・照合部、２８・・・ＰＯＳ管理装置、３０・・・現金搬送カセット、３５・・・記憶部、１１０・・・入金部  １２０・・・出金部、１３０・・・搬送部、１４０・・・識別部、１５０・・・収納部、１５７・・・リード部、１５８・・・ライト部、１６０・・・カセット装着部、１７０・・・メモリ、１８０・・・通信部、１９０・・・制御部、２１０・・・入金部、２２０・・・出金部、２９５・・・操作表示部、２３０・・・搬送部、２４０・・・識別部、２５０・・・収納部、２５５・・・回収部、２５７・・・リード部、２５８・・・ライト部、２２２・・・機外リジェクト部、２２４・・・機内リジェクト部、２７０・・・メモリ、２８０・・・通信部、２９０・・・制御部
【図１】
0005815301.tif 000002
【図２】
0005815301.tif 000003
【図３】
0005815301.tif 000004
【図４】
0005815301.tif 000005
【図５】
0005815301.tif 000006
【図６】
0005815301.tif 000007
【図７】
0005815301.tif 000008
【図８】
0005815301.tif 000009
【図９】
0005815301.tif 000010
【図１０】
0005815301.tif 000011
【図１１】
0005815301.tif 000012
【図１２】
0005815301.tif 000013
【図１３】
0005815301.tif 000014
【図１４】
0005815301.tif 000015
【図１５】
0005815301.tif 000016
【図１６】
0005815301.tif 000017
【図１７】
0005815301.tif 000018
【図１８】
0005815301.tif 000019
【図１９】
0005815301.tif 000020